(57)【特許請求の範囲】
【請求項１】
基地局が、端末に、ＣＳＩを測定及びフィードバックするためのＣＳＩ測定プロセスをＮ個設定し、そのうち、前記Ｎ個のＣＳＩ測定プロセスはいずれも端末専用ハイレイヤシグナリングにより単独で以下のシグナリング、即ち、コードブック制限セット集合、プリコーディングマトリクス指示−ランク指示−報告（ＰＭＩ−ＲＩ−Ｒｅｐｏｒｔ）、ＰＭＩフィードバックイネーブル（enable）、ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応する物理上りリンクコントロールチャネル（ＰＵＣＣＨ）がフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンス識別子（ＩＤ）のうちの１種又は複数種を設定し、これにより異なるＣＳＩ測定プロセスが異なる設定を有することと、
前記基地局が、前記端末に前記Ｎ個のＣＳＩ測定プロセスを送信し、そのうちＮが正整数であることと、を含み、
一つのＣＳＩプロセスはサブフレームセット設定情報を設定していないと、前記一つのＣＳＩ測定プロセスは前記一つのＣＳＩプロセスのみを含み、又は一つのＣＳＩプロセスはサブフレームセット設定情報を設定すると、二つのＣＳＩ測定プロセスがあり、１番目のＣＳＩ測定プロセスは前記ＣＳＩプロセスと前記サブフレームセット情報のうちの１番目のサブフレームセットの組合せに対応し、２番目のＣＳＩ測定プロセスは前記ＣＳＩプロセスと前記サブフレームセット情報のうちの２番目のサブフレームセットの組合せに対応する、チャネル状態情報（ＣＳＩ）フィードバックシグナリングの設定方法。
【請求項２】
前記基地局が、端末にＮ個のＣＳＩ測定プロセスを設定するステップの後、前記方法は、
前記基地局が、ビットマップシーケンスの端末専用ハイレイヤシグナリングを用いることにより一つの非サイクルトリガー状態に対応する一つ又は複数のＣＳＩプロセスを設定すること、及び
前記基地局が、下りリンクコントロール情報（ＤＣＩ）における２ビットトリガーシグナリングにより各非サイクルトリガー状態に対応する一つ又は複数のＣＳＩプロセスをトリガーすることを更に含む、請求項１に記載の方法。
【請求項３】
端末が、基地局が送信したＮ個のＣＳＩ測定プロセスを受信し、そのうち、前記Ｎ個のＣＳＩ測定プロセスはいずれも端末専用ハイレイヤシグナリングにより単独で以下のシグナリング、即ち、コードブック制限セット集合、プリコーディングマトリクス指示−ランク指示−報告（ＰＭＩ−ＲＩ−Ｒｅｐｏｒｔ）、ＰＭＩフィードバックイネーブル、ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応する物理上りリンクコントロールチャネル（ＰＵＣＣＨ）がフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンス識別子（ＩＤ）のうちの１種又は複数種を設定し、これにより異なるＣＳＩ測定プロセスが異なる設定を有することと、
前記端末が、前記Ｎ個のＣＳＩ測定プロセスに基づいてＣＳＩを測定し、且つ前記基地局に測定報告をフィードバックすることと、を含み、
測定報告は、ＰＭＩ、チャネル品質情報（ＣＱＩ）及びＲＩのうちの一つ又は複数を含み、
一つのＣＳＩプロセスはサブフレームセット設定情報を設定していないと、前記一つのＣＳＩ測定プロセスは前記一つのＣＳＩプロセスのみを含み、又は一つのＣＳＩプロセスはサブフレームセット設定情報を設定すると、二つのＣＳＩ測定プロセスがあり、１番目のＣＳＩ測定プロセスは前記ＣＳＩプロセスと前記サブフレームセット情報のうちの１番目のサブフレームセットの組合せに対応し、２番目のＣＳＩ測定プロセスは前記ＣＳＩプロセスと前記サブフレームセット情報のうちの２番目のサブフレームセットの組合せに対応する、チャネル状態情報（ＣＳＩ）のフィードバック方法。
【請求項４】
前記端末がフィードバックした複数の測定報告が衝突する時、前記端末は順に報告タイプ、ＣＳＩ測定プロセスインデックス及び搬送波インデックスの優先順位に従って測定報告を廃棄することを更に含む、請求項３に記載の方法。
【請求項５】
前記端末が、基地局が送信したＮ個のＣＳＩ測定プロセスを受信するステップの後、前記方法は、
前記端末が、ビットマップシーケンスを用いる一つの端末専用ハイレイヤシグナリングを受信することにより一つの非サイクルトリガー状態に対応する一つ又は複数のＣＳＩプロセスを取得することと、
前記端末が、下りリンクコントロール情報（ＤＣＩ）における２ビットトリガーシグナリングを検出することにより各非サイクルトリガー状態に対応する一つ又は複数のＣＳＩプロセスをトリガーするシグナリングを取得することと、を更に含む、請求項３に記載の方法。
【請求項６】
端末に、チャネル状態情報（ＣＳＩ）を測定及びフィードバックするためのＣＳＩ測定プロセスをＮ個設定し、そのうち、前記Ｎ個のＣＳＩ測定プロセスはいずれも端末専用ハイレイヤシグナリングにより単独で以下のシグナリング、即ち、コードブック制限セット集合、プリコーディングマトリクス指示−ランク指示−報告（ＰＭＩ−ＲＩ−Ｒｅｐｏｒｔ）、ＰＭＩフィードバックイネーブル、ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応する物理上りリンクコントロールチャネル（ＰＵＣＣＨ）がフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンス識別子（ＩＤ）のうちの１種又は複数種を設定し、これにより異なるＣＳＩ測定プロセスが異なる設定を有するように設置される設定モジュールと、  前記端末に前記Ｎ個のＣＳＩ測定プロセスを送信し、そのうちＮが正整数であるように設置される送信モジュールと、を含み、
一つのＣＳＩプロセスはサブフレームセット設定情報を設定していないと、前記一つのＣＳＩ測定プロセスは前記一つのＣＳＩプロセスのみを含み、又は一つのＣＳＩプロセスはサブフレームセット設定情報を設定すると、二つのＣＳＩ測定プロセスがあり、１番目のＣＳＩ測定プロセスは前記ＣＳＩプロセスと前記サブフレームセット情報のうちの１番目のサブフレームセットの組合せに対応し、２番目のＣＳＩ測定プロセスは前記ＣＳＩプロセスと前記サブフレームセット情報のうちの２番目のサブフレームセットの組合せに対応する、基地局。
【請求項７】
前記設定モジュールは、ビットマップシーケンスを用いる端末専用ハイレイヤシグナリングにより一つの非サイクルトリガー状態に対応する一つ又は複数のＣＳＩプロセスを設定し、及び、下りリンクコントロール情報（ＤＣＩ）における２ビットトリガーシグナリングにより各非サイクルトリガー状態に対応する一つ又は複数のＣＳＩプロセスをトリガーするように更に設置される、請求項６に記載の基地局。
【請求項８】
基地局が送信したＮ個のチャネル状態情報（ＣＳＩ）測定プロセスを受信し、そのうち、前記Ｎ個のＣＳＩ測定プロセスはいずれも端末専用ハイレイヤシグナリングにより単独で以下のシグナリング、即ち、コードブック制限セット集合、プリコーディングマトリクス指示−ランク指示−報告（ＰＭＩ−ＲＩ−Ｒｅｐｏｒｔ）、ＰＭＩフィードバックイネーブル、ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応する物理上りリンクコントロールチャネル（ＰＵＣＣＨ）がフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンス識別子（ＩＤ）のうちの１種又は複数種を設定し、これにより異なるＣＳＩ測定プロセスが異なる設定を有するように設置される受信モジュールと、
前記Ｎ個のＣＳＩ測定プロセスに基づいてＣＳＩを測定し、且つ前記基地局に測定報告をフィードバックするように設置されるフィードバックモジュールと、を含み、
一つのＣＳＩプロセスはサブフレームセット設定情報を設定していないと、前記一つのＣＳＩ測定プロセスは前記一つのＣＳＩプロセスのみを含み、又は一つのＣＳＩプロセスはサブフレームセット設定情報を設定すると、二つのＣＳＩ測定プロセスがあり、１番目のＣＳＩ測定プロセスは前記ＣＳＩプロセスと前記サブフレームセット情報のうちの１番目のサブフレームセットの組合せに対応し、２番目のＣＳＩ測定プロセスは前記ＣＳＩプロセスと前記サブフレームセット情報のうちの２番目のサブフレームセットの組合せに対応し、
測定報告は、ＰＭＩ、チャネル品質情報（ＣＱＩ）及びＲＩのうちの一つ又は複数を含む、端末。
【請求項９】
前記フィードバックモジュールは、
フィードバックする必要がある複数の測定報告が衝突すると確定した時、順に報告タイプ、ＣＳＩ測定プロセスインデックス及び搬送波インデックスの優先順位に従って測定報告を廃棄し、且つ廃棄していない測定報告をフィードバックするという方式で、前記基地局に測定報告をフィードバックするように設置される、請求項８に記載の端末。
【請求項１０】
前記受信モジュールは、ビットマップシーケンスを用いる一つの端末専用ハイレイヤシグナリングを受信することにより一つの非サイクルトリガー状態に対応する一つ又は複数のＣＳＩプロセスを取得し、及び下りリンクコントロール情報（ＤＣＩ）における２ビットトリガーシグナリングを検出することにより各非サイクルトリガー状態に対応する一つ又は複数のＣＳＩプロセスをトリガーするシグナリングを取得するように更に設置される、請求項８に記載の端末。
【発明の詳細な説明】
【技術分野】
【０００１】
本発明は通信領域に関し、特にチャネル状態情報フィードバックシグナリングの設定方法、チャネル状態情報のフィードバック方法、データ復調の設定方法、データ復調の方法、アンテナポート情報の設定方法、アンテナポート情報の取得方法、基地局及び端末に関する。
【背景技術】
【０００２】
ロングタームエボリューション（Ｌｏｎｇ  Ｔｅｒｍ  Ｅｖｏｌｕｔｉｏｎ、ＬＴＥと略称する）システムはリリース（Ｒｅｌｅａｓｅ、Ｒ）８／９／１０のいくつのリリースを経た後、更に引続き正確にＲ１１技術を研究している。従来、一部のＲ８製品は次第に商用され、Ｒ９及びＲ１０製品は計画する必要がある。
【０００３】
Ｒ８及びＲ９工程を経た後、Ｒ１０は前の両者の上で更により多くの特性、たとえば、復調基準信号（Ｄｅｍｏｄｕｌａｔｉｏｎ  Ｒｅｆｅｒｅｎｃｅ  Ｓｉｇｎａｌ、ＤＭＲＳ）及びチャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）等のパイロット周波数特性、８アンテナバックアップ等の伝送及びフィードバック特性等を追加し、特にセル間干渉キャンセラ強化（ｅｈａｎｃｅｄ  Ｉｎｔｅｒ−Ｃｅｌｌ  Ｉｎｔｅｒｆｅｒｅｎｃｅ  Ｃａｎｃｅｌｌｉｎｇ、ｅＩＣＩＣ）技術はＲ８／９  ＩＣＩＣを配慮した上、セルの間の干渉回避技術を配慮する。セルの間干渉問題を解決する技術に対して、Ｒ１０工程初期には、主に同種ネットワーク下でのセル干渉回避を配慮し、そのうち、主にｅＩＣＩＣ技術及びマルチポイント協調（Ｃｏｏｒｄｉｎａｔｅｄ  Ｍｕｌｔｉ−ｐｏｉｎｔ、ＣｏＭＰ）技術を配慮する。ＣｏＭＰは、その名前が示すように、複数のノードが協調して一つ又は複数のユーザ装置（Ｕｓｅｒ  Ｅｑｕｉｐｍｅｎｔ、ＵＥ）に同一の時間周波数リソース又は異なる時間周波数リソースにおいてデータを送信することである。こうするように、セルの間の干渉を減少させ、セルエッジのスループット率を向上させ、セルのカバーを拡大することができる。しかしながら、検討後期に異種ネットワーク中におけるより多くのシーン導入、ＣｏＭＰ技術の複雑性及びＲ１０検討の時間制限を配慮して、最終的にＲ１０工程において付加のＣｏＭＰ標準化を導入しないと決定し、しかしながら、ＣＳＩ−ＲＳを設計する時、ＣｏＭＰ部分のニーズに応じて設計することができる、従ってＣｏＭＰ技術は６０ｂｉｓミーティング後に更に検討することがない。
【０００４】
Ｒ１０  ＣＳＩ−ＲＳの設定情報は、主に非ゼロ電力（Ｎｏｎ  Ｚｅｒｏ  Ｐｏｗｅｒ、ＮＺＰ）ＣＳＩ−ＲＳ設定シグナリング及びゼロ電力ＣＳＩ−ＲＳ設定シグナリングを含む。表１及び表２に示すように、非ゼロ電力ＣＳＩ−ＲＳ設定は主にフォームインデックスを利用する方式により端末側に各非ゼロ電力ＣＳＩ−ＲＳの一つのサブフレームでの時間周波数リソース位置を通知することを配慮し、及び、表３に示すように、アンテナポート点数設定により端末側に非ゼロ電力ＣＳＩ−ＲＳが占める時間周波数リソースの点数及び対応するアンテナポートを通知し、及びサブフレームオフセット及びサイクルインデックスを利用して、端末側が受信しているＣＳＩ−ＲＳのサブフレームを通知する。
【０００５】
【表１】
0006349301.tif 000002
【０００６】
【表２】
0006349301.tif 000003
【０００７】
【表３】
0006349301.tif 000004
【０００８】
ゼロ電力のＣＳＩ−ＲＳは１６ビットのｂｉｔｍａｐシーケンスを利用して端末側にレートマッチングを行う必要があるリソース元素を通知する。表３に示すように、サブフレームオフセット及びサイクルにより端末側にゼロ電力ＣＳＩ−ＲＳが所在するサブフレームを通知する。
【０００９】
非ゼロ電力ＣＳＩ−ＲＳの目的は主に端末側がＣＳＩを測定して基地局側にフィードバックすることである。ゼロ電力ＣＳＩ−ＲＳの主な目的は、データサービスのＣＳＩ−ＲＳに対する干渉を減少し、これによってＣＳＩ測定の精確度を向上させることであり、基地局側において端末側にゼロ電力ＣＳＩ−ＲＳのリソース位置を通知し、端末側は、基地局がゼロ電力ＣＳＩ−ＲＳのリソース位置に物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）又は他の基準信号又はチャネルを配置しないと仮定する。
【００１０】
Ｒ１１はＣｏＭＰの標準に対する影響を配慮する必要があり、特に干渉測定リソースの設定及びゼロ電力ＣＳＩ−ＲＳのリソース設定を配慮する必要がある。最新の６８ｂｉｓミーティング上に検討し、ゼロ電力ＣＳＩ−ＲＳのリソース測定干渉を利用して比較的正確な干渉推定パフォーマンスを取得することができ、同時に部分的にＲ１０端末と互換性があってもよく、それにより、ゼロ電力ＣＳＩ−ＲＳを設定することにより干渉測定リソースがＰＤＳＣＨパンクチャリングにもたらすパフォーマンス損失を避ける。Ｒ１１工程においてゼロ電力ＣＳＩ−ＲＳ干渉測定方式を導入すると、端末側が識別する必要があるレートマッチングリソースは以下の三種を含む。
【００１１】
１、非ゼロ電力ＣＳＩ−ＲＳリソース：主に基地局側は８又は４ポートの方式に従ってＣＳＩ−ＲＳを送信し、端末側は最大限に４又は２ポートをバックアップすることができ、この時、他の識別不能なポート位置にレートマッチングを行う必要があり、又は基地局側はＣＳＩ−ＲＳを送信し、しかしながら端末側はフィードバックモード  １−０、２−０又は３−０方式を用い、この時ＣＳＩ−ＲＳポートを設定する必要がなく、ゼロ電力ＣＳＩ−ＲＳのみを設定すればよいことである。  
【００１２】
２、ゼロ電力ＣＳＩ−ＲＳリソース：データサービスのＣＳＩ−ＲＳ測定に対する干渉を減少することに用いられる。
【００１３】
３、ゼロ電力ＣＳＩ−ＲＳリソース：端末側が対応するリソース位置上に干渉を測定することに用いられる。
【００１４】
第１、第２種のリソースとＲ１０のゼロ電力ＣＳＩ−ＲＳ設定の目的は同じ、第３種のリソースは追加するゼロ電力ＣＳＩ−ＲＳであり、干渉測定に用いられる。従って、Ｒ１１に対して、新しいゼロ電力ＣＳＩ−ＲＳ設定方式が存在する必要があり、少なくとも、干渉測定に用いられる一部分、レートマッチングに用いられる一部分と、を含む。記述の便宜を図るために、一時的に干渉測定に用いられるゼロ電力ＣＳＩ−ＲＳをＩＭＲ（Ｉｎｔｅｒｆｅｒｅｎｃｅ  Ｍｅａｓｕｒｅｍｅｎｔ  Ｒｅｓｏｕｒｃｅ、干渉測定リソース）と称し、レートマッチングに用いられるゼロ電力ＣＳＩ−ＲＳをＲＭＲ（Ｒａｔｅ  Ｍａｔｃｈｉｎｇ  Ｒｅｓｏｕｒｃｅ、レートマッチングリソース）と称する。
【００１５】
Ｒ１１の端末は、ＮＺＰ  ＣＳＩ−ＲＳ上にチャネル情報を測定するとともに、ＩＭＲ上に干渉情報を測定し、且つ一つのＲ１１の端末は複数のＮＺＰ  ＣＳＩ−ＲＳ及びＩＭＲを設定することができるため、従って、Ｒ１１ミーティングの検討中にＣＳＩプロセス（Ｐｒｏｃｅｓｓ）の概念を導入し、一つのＣＳＩプロセスは一つのＮＺＰ  ＣＳＩ−ＲＳのチャネル部分及び一つのＩＭＲの干渉測定情報部分に対応する。また、Ｒ１０のｅＩＣＩＣの検討及びＲ１１のｆｅＩＣＩＣ（Ｆｕｒｔｈｅｒ  ｅＩＣＩＣ、更なる強化ＩＣＩＣ）の検討中において、サブフレームセット（Ｓｕｂｆｒａｍｅ  Ｓｅｔｓ）の概念を導入し、異なるサブフレームセットがそれぞれ異なる干渉に対応する場合に対して、たとえば、２つのサブフレームセット、即ち、サブフレームセット０及びサブフレームセット１を設定し、サブフレームセット０は非（Ｎｏｎ）オールモストブランクサブフレーム（Ａｌｍｏｓｔ  Ｂｌａｎｋ  Ｓｕｂｆｒａｍｅ、ＡＢＳ）に対応し、サブフレームセット１はＡＢＳに対応し、２つのサブフレームセットはすべての有効的な下りリンクサブフレームを構成する。
【発明の概要】
【発明が解決しようとする課題】
【００１６】
本発明の実施例はチャネル状態情報フィードバックシグナリングの設定方法、チャネル状態情報のフィードバック方法、基地局及び端末を提供しており、異なるＣＳＩプロセスが異なるサブフレームセットにおいて異なる干渉状況があるためＣＳＩプロセス及びサブフレームセットを結合して設定情報を配慮する必要があるという問題を解決する。
【００１７】
そのうち、本特許のコードブック制限セット集合はコードブックサブセット制限（Ｃｏｄｅｂｏｏｋ  Ｓｕｂｓｅｔ  Ｒｅｓｔｒｉｃｔｉｏｎ）と称されてもよく、主に端末フィードバックに使用可能な層数及びコードブック選択の範囲を制限するためのものである。
【課題を解決するための手段】
【００１８】
本発明の実施例は、チャネル状態情報（ＣＳＩ）フィードバックシグナリングの設定方法を提供しており、
基地局は端末にＣＳＩを測定及びフィードバックするためのＣＳＩ測定プロセスをＮ個設定し、そのうち、前記Ｎ個のＣＳＩ測定プロセスはいずれも端末専用ハイレイヤシグナリングにより単独で以下のシグナリング複数の、即ち、コードブック制限セット集合、プリコーディングマトリクス指示−ランク指示−報告（Ｐｒｅｃｏｄｉｎｇ  Ｍａｔｒｉｘ  Ｉｎｄｉｃａｔｏｒ−Ｒａｎｋ  Ｉｎｄｉｃａｔｏｒ−Ｒｅｐｏｒｔ、ＰＭＩ−ＲＩ−Ｒｅｐｏｒｔ）、ＰＭＩフィードバックイネーブル、ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応する物理上りリンクコントロールチャネル（Ｐｈｙｓｉｃａｌ  Ｕｐｌｉｎｋ  Ｃｏｎｔｒｏｌ  Ｃｈａｎｎｅｌ、ＰＵＣＣＨ）がフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンス識別子（Ｉｄｅｎｔｉｆｉｅｒ、ＩＤ）のうちの１種又は複数種を設定すること、及び
前記基地局は前記端末に前記Ｎ個のＣＳＩ測定プロセスを送信し、そのうちＮが正整数であることを含む。
【００１９】
前記基地局は端末にＮ個のＣＳＩ測定プロセスを設定するステップの後、前記方法は、
前記基地局はビットマップシーケンスを用いる端末専用ハイレイヤシグナリングにより一つの非サイクルトリガー状態に対応する一つ又は複数のＣＳＩプロセスを設定すること、及び
前記基地局は下りリンクコントロール情報（Ｄｏｗｎｌｉｎｋ  Ｃｏｎｔｒｏｌ  Ｉｎｆｏｒｍａｔｉｏｎ、ＤＣＩ）における２ビットトリガーシグナリングにより各非サイクルトリガー状態に対応する一つ又は複数のＣＳＩプロセスをトリガーすることを含んでもよい。
【００２０】
前記一つのＣＳＩ測定プロセスは一つのみのＣＳＩプロセスを含み、又は一つのＣＳＩプロセスと一つのサブフレームセットの組合せを含んでもよい。
【００２１】
一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応してもよい。
【００２２】
本発明の実施例は更にチャネル状態情報（ＣＳＩ）のフィードバック方法を提供し、
端末は、基地局が送信したＮ個のＣＳＩ測定プロセスを受信し、そのうち、前記Ｎ個のＣＳＩ測定プロセスはいずれも端末専用ハイレイヤシグナリングにより単独で以下のシグナリング、即ち、コードブック制限セット集合、プリコーディングマトリクス指示−ランク指示−報告（ＰＭＩ−ＲＩ−Ｒｅｐｏｒｔ）、ＰＭＩフィードバックイネーブル、ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応する物理上りリンクコントロールチャネル（ＰＵＣＣＨ）がフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンス識別子（ＩＤ）のうちの１種又は複数種を設定すること、及び
前記端末は前記Ｎ個のＣＳＩ測定プロセスに基づいてＣＳＩを測定し、且つ前記基地局に測定報告をフィードバックすることを含む。
【００２３】
前記一つのＣＳＩ測定プロセスは一つのみのＣＳＩプロセスを含み、又は一つのＣＳＩプロセスと一つのサブフレームセットの組合せを含んでもよい。
【００２４】
一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応してもよい。
【００２５】
前記測定報告は、ＰＭＩ、チャネル品質情報（Ｃｈａｎｎｅｌ  Ｑｕａｌｉｔｙ  Ｉｎｆｏｒｍａｔｉｏｎ、ＣＱＩ）及びＲＩのうちの一つ又は複数を含んでもよい。
【００２６】
前記方法は、前記端末がフィードバックした複数の測定報告が衝撃する時、前記端末は順に報告タイプ、ＣＳＩ測定プロセスインデックス及び搬送波インデックスの優先順位に従って測定報告を廃棄することを更に含んでもよい。
【００２７】
前記端末は、基地局が送信したＮ個のＣＳＩ測定プロセスを受信するステップの後、前記方法は、
前記端末はビットマップシーケンスを用いる一つの端末専用ハイレイヤシグナリングを受信することにより一つの非サイクルトリガー状態に対応する一つ又は複数のＣＳＩプロセスを取得すること、及び
前記端末は下りリンクコントロール情報（ＤＣＩ）における２ビットトリガーシグナリングを検出することにより各非サイクルトリガー状態に対応する一つ又は複数のＣＳＩプロセスをトリガーするシグナリングを取得することを更に含んでもよい。
【００２８】
本発明の実施例は基地局を更に提供しており、 
端末にチャネル状態情報（ＣＳＩ）を測定及びフィードバックするためのＣＳＩ測定プロセスをＮ個設定し、そのうち、前記Ｎ個のＣＳＩ測定プロセスはいずれも端末専用ハイレイヤシグナリングにより単独で以下のシグナリング、即ち、コードブック制限セット集合、プリコーディングマトリクス指示−ランク指示−報告（ＰＭＩ−ＲＩ−Ｒｅｐｏｒｔ）、ＰＭＩフィードバックイネーブル、ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応する物理上りリンクコントロールチャネル（ＰＵＣＣＨ）がフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンス識別子（ＩＤ）のうちの１種又は複数種を設定するように設置される設定モジュール、及び
前記端末に前記Ｎ個のＣＳＩ測定プロセスを送信し、そのうちＮが正整数であるように設置される送信モジュールを含む。
【００２９】
前記設定モジュールは、ビットマップシーケンスを用いる端末専用ハイレイヤシグナリングにより一つの非サイクルトリガー状態に対応する一つ又は複数のＣＳＩプロセスを設定し、及び、下りリンクコントロール情報（ＤＣＩ）における２ビットトリガーシグナリングにより各非サイクルトリガー状態に対応する一つ又は複数のＣＳＩプロセスをトリガーするように更に設置されてもよい。
【００３０】
前記一つのＣＳＩ測定プロセスは一つのみのＣＳＩプロセスを含み、又は一つのＣＳＩプロセスと一つのサブフレームセットの組合せを含んでもよい。
【００３１】
一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応してもよい。
【００３２】
本発明の実施例は端末を更に提供しており、 
基地局が送信したＮ個のチャネル状態情報（ＣＳＩ）測定プロセスを受信し、そのうち、前記Ｎ個のＣＳＩ測定プロセスはいずれも端末専用ハイレイヤシグナリングにより単独で以下のシグナリング、即ち、コードブック制限セット集合、プリコーディングマトリクス指示−ランク指示−報告（ＰＭＩ−ＲＩ−Ｒｅｐｏｒｔ）、ＰＭＩフィードバックイネーブル、ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応する物理上りリンクコントロールチャネル（ＰＵＣＣＨ）がフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンス識別子（ＩＤ）のうちの１種又は複数種を設定するように設置される受信モジュール、及び
前記Ｎ個のＣＳＩ測定プロセスに基づいてＣＳＩを測定し、且つ前記基地局に測定報告をフィードバックするように設置されるフィードバックモジュールを含む。
【００３３】
前記一つのＣＳＩ測定プロセスは一つのみのＣＳＩプロセスを含み、又は一つのＣＳＩプロセスと一つのサブフレームセットの組合せを含んでもよい。
【００３４】
一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応してもよい。
【００３５】
前記測定報告は、ＰＭＩ、チャネル品質情報（ＣＱＩ）及びＲＩのうちの一つ又は複数を含んでもよい。
【００３６】
前記フィードバックモジュールは、
フィードバックする必要がある複数の測定報告が衝撃すると確定した時、順に報告タイプ、ＣＳＩ測定プロセスインデックス及び搬送波インデックスの優先順位に従って測定報告を廃棄し、且つ廃棄していない測定報告をフィードバックするという方式で、前記基地局に測定報告をフィードバックするように設置されてもよい。
【００３７】
前記受信モジュールは、一つのビットマップシーケンスを用いる一つの端末専用ハイレイヤシグナリングを受信することにより一つの非サイクルトリガー状態に対応する一つ又は複数のＣＳＩプロセスを取得し、及び下りリンクコントロール情報（ＤＣＩ）における２ビットトリガーシグナリングを検出することにより各非サイクルトリガー状態に対応する一つ又は複数のＣＳＩプロセスをトリガーするシグナリングを取得するように更に設置されてもよい。
【００３８】
本発明の実施例はデータ復調の設定方法を更に提供しており、 
基地局は端末にＮ個のチャネル状態情報（ＣＳＩ）測定プロセスと復調パイロット周波数の対応関係を設定し、そのうち、前記対応関係は、前記端末が現在に下りリンクサービスを受信するサブフレーム上においてどのＣＳＩ測定プロセスに対応するマクロスケール情報及び／又は干渉情報を用いてパイロット周波数復調及びデータ検出を行うかを指示することに用いられ、前記マクロスケール情報は、遅延拡張、各パス遅延、ドップラー周波数偏移、ドップラー拡張及び平均受信電力の情報のうちの１種又は複数種を含むこと、及び
前記基地局は前記端末に前記対応関係を送信することを含む。
【００３９】
前記ＣＳＩ測定プロセスは一つのみのＣＳＩプロセスを含み、又は一つのＣＳＩプロセスと一つのサブフレームセットの組合せを含んでもよい。
【００４０】
一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応してもよい。
【００４１】
本発明の実施例はデータ復調の方法を更に提供しており、 
端末は基地局が送信したＮ個のチャネル状態情報（ＣＳＩ）測定プロセスと復調パイロット周波数の対応関係を受信すること、及び
前記端末は、前記対応関係に基づいて、現在に下りリンクサービスを受信するサブフレーム上においてどのＣＳＩ測定プロセスに対応するマクロスケール情報及び／又は干渉情報を用いてパイロット周波数復調及びデータ検出を行うかを確定し、そのうち、前記マクロスケール情報は、遅延拡張、各パス遅延、ドップラー周波数偏移、ドップラー拡張及び平均受信電力の情報のうちの１種又は複数種を含むことを含む。
【００４２】
前記ＣＳＩ測定プロセスは一つのみのＣＳＩプロセスを含み、又は一つのＣＳＩプロセスと一つのサブフレームセットの組合せを含んでもよい。
【００４３】
一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応してもよい。
【００４４】
本発明の実施例は基地局を更に提供しており、 
端末にＮ個のチャネル状態情報（ＣＳＩ）測定プロセスと復調パイロット周波数の対応関係を設定し、そのうち、前記対応関係は、前記端末が現在に下りリンクサービスを受信するサブフレーム上においてどのＣＳＩ測定プロセスに対応するマクロスケール情報及び／又は干渉情報を用いてパイロット周波数復調及びデータ検出を行うかを指示することに用いられ、前記マクロスケール情報は、遅延拡張、各パス遅延、ドップラー周波数偏移、ドップラー拡張及び平均受信電力の情報のうちの１種又は複数種を含むように設置される設定モジュール、及び
前記端末に前記対応関係を送信するように設置される送信モジュールを含む。
【００４５】
前記ＣＳＩ測定プロセスは一つのみのＣＳＩプロセスを含み、又は一つのＣＳＩプロセスと一つのサブフレームセットの組合せを含んでもよい。
【００４６】
一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応してもよい。
【００４７】
本発明の実施例は端末を更に提供しており、 
基地局が送信したＮ個のチャネル状態情報（ＣＳＩ）測定プロセスと復調パイロット周波数の対応関係を受信するように設置される受信モジュール、及び
前記対応関係に基づいて、現在に下りリンクサービスを受信するサブフレーム上においてどのＣＳＩ測定プロセスに対応するマクロスケール情報及び／又は干渉情報を用いてパイロット周波数復調及びデータ検出を行うかを確定し、そのうち、前記マクロスケール情報は、遅延拡張、各パス遅延、ドップラー周波数偏移、ドップラー拡張及び平均受信電力の情報のうちの１種又は複数種を含むように設置される処理モジュールを含む。
【００４８】
前記ＣＳＩ測定プロセスは一つのみのＣＳＩプロセスを含み、又は一つのＣＳＩプロセスと一つのサブフレームセットの組合せを含んでもよい。
【００４９】
一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応してもよい。
【００５０】
本発明の実施例はアンテナポート情報の設定方法を更に提供しており、 
基地局は端末に強化物理下りリンクコントロールチャネル（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）リソースを検出する時別の一つ又は複数の復調基準信号（ＤＭＲＳ）アンテナポートが別の一つ又は複数のユーザのｅＰＤＣＣＨ及び／又は物理下りリンク共有チャネル（ＰＤＳＣＨ）伝送に用いられるかどうかの仮定を設定すること、及び
前記基地局は端末専用ハイレイヤシグナリング及び／又は物理層シグナリングにより前記端末に前記仮定を送信することを含む。
【００５１】
前記基地局はＫ個のｅＰＤＣＣＨ検出セットを設定することにより、前記端末は前記Ｋ個のｅＰＤＣＣＨ検出セット中において別の一つ又は複数のＤＭＲＳアンテナポートが別の一つのユーザのｅＰＤＣＣＨ及び／又はＰＤＳＣＨ伝送に用いられるかどうかの仮定を単独で設定し、そのうちＫは正整数であることを含んでもよい。
【００５２】
前記基地局は端末にｅＰＤＣＣＨリソースを検出する時別の一つ又は複数のＤＭＲＳアンテナポートが別の一つ又は複数のユーザのｅＰＤＣＣＨ及び／又はＰＤＳＣＨ伝送に用いられるかどうかの仮定を設定するステップは、
前記基地局はＫ個のｅＰＤＣＣＨ検出セットを設定することにより、前記端末は前記Ｋ個のｅＰＤＣＣＨ検出セットにおける一部又は全部のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定し、そのうちＫは正整数であり、又は
前記基地局は、Ｘ個のサブフレームセットを設定することにより、前記端末は前記Ｘ個のサブフレームセットにおける一部又は全部のサブフレームセット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定し、そのうちＸは正整数であることを含んでもよい。
【００５３】
前記Ｋ個のｅＰＤＣＣＨ検出セットは前記基地局により統一に設定され又は単独で設定されてもよい。
【００５４】
前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含んでもよい。
【００５５】
本発明の実施例はアンテナポート情報の取得方法を更に提供しており、 
端末は基地局が送信した端末専用ハイレイヤシグナリング及び／又は物理層シグナリングを受信すること、及び
前記端末は前記端末専用ハイレイヤシグナリング及び／又は物理層シグナリングに基づいて強化物理下りリンクコントロールチャネル（ｅＰＤＣＣＨ）リソースを検出する時別の一つ又は複数の復調基準信号（ＤＭＲＳ）アンテナポートが別の一つ又は複数のユーザのｅＰＤＣＣＨ及び／又は物理下りリンク共有チャネル（ＰＤＳＣＨ）伝送に用いられるかどうかの仮定を取得することを含む。
【００５６】
前記端末は前記端末専用ハイレイヤシグナリング及び／又は物理層シグナリングに基づいてｅＰＤＣＣＨリソースを検出する時別の一つ又は複数のＤＭＲＳアンテナポートが別の一つ又は複数のユーザのｅＰＤＣＣＨ及び／又はＰＤＳＣＨ伝送に用いられるかどうかの仮定を取得するステップは、
前記端末は前記端末ハイレイヤシグナリングに基づいて、設定されたＫ個のｅＰＤＣＣＨ検出セットを取得し、且つ前記端末が前記ｅＰＤＣＣＨリソースを検出する時前記Ｋ個のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を単独で設定するためのハイレイヤシグナリングを受信し、そのうちＫは正整数であることを含んでもよい。
【００５７】
前記端末は前記端末専用ハイレイヤシグナリング及び／又は物理層シグナリングに基づいて、ｅＰＤＣＣＨリソースを検出する時別の一つ又は複数のＤＭＲＳアンテナポートが別の一つ又は複数のユーザのｅＰＤＣＣＨ及び／又はＰＤＳＣＨ伝送に用いられるかどうかの仮定を取得するステップは、
前記端末は前記端末専用ハイレイヤシグナリングに基づいて、設定されたＫ個のｅＰＤＣＣＨ検出セットを取得し、前記端末が前記ｅＰＤＣＣＨリソースを検出する時前記Ｋ個のｅＰＤＣＣＨ検出セット中における一部又は全部のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定するためのハイレイヤシグナリングを取得し、そのうちＫは正整数であること、又は
前記端末は前記端末専用ハイレイヤシグナリングに基づいて、設定されたＸ個のサブフレームセットを取得し、前記端末が前記ｅＰＤＣＣＨリソースを検出する時前記Ｘ個のサブフレームセットにおける一部又は全部のサブフレームセット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定するためのハイレイヤシグナリングを取得し、そのうちＸは正整数であることを含んでもよい。
【００５８】
前記Ｋ個のｅＰＤＣＣＨ検出セットは前記端末により統一に取得され又は単独で取得されてもよい。
【００５９】
前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含んでもよい。
【００６０】
本発明の実施例は基地局を更に提供しており、 
端末に強化物理下りリンクコントロールチャネル（ｅＰＤＣＣＨ）リソースを検出する時別の一つ又は複数の復調基準信号（ＤＭＲＳ）アンテナポートが別の一つ又は複数のユーザのｅＰＤＣＣＨ及び／又は物理下りリンク共有チャネル（ＰＤＳＣＨ）伝送に用いられるかどうかの仮定を設定するように設置される設定モジュール、及び
端末専用ハイレイヤシグナリング及び／又は物理層シグナリングにより前記端末に前記仮定を送信するように設置される送信モジュールを含む。
【００６１】
前記設定モジュールは、
Ｋ個のｅＰＤＣＣＨ検出セットを設定することにより、前記端末は前記Ｋ個のｅＰＤＣＣＨ検出セット中において別の一つ又は複数のＤＭＲＳアンテナポートが別の一つのユーザのｅＰＤＣＣＨ及び／又はＰＤＳＣＨ伝送に用いられるかどうかの仮定を単独で設定し、そのうちＫは正整数であるように設置されてもよい。
【００６２】
前記設定モジュールは、
Ｋ個のｅＰＤＣＣＨ検出セットを設定することにより、前記端末は前記Ｋ個のｅＰＤＣＣＨ検出セットにおける一部又は全部のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定し、そのうちＫは正整数であり、又は
Ｘ個のサブフレームセットを設定することにより、前記端末は前記Ｘ個のサブフレームセットにおける一部又は全部のサブフレームセット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定し、そのうちＸは正整数であるように設置されてもよい。
【００６３】
前記Ｋ個のｅＰＤＣＣＨ検出セットは前記設定モジュールにより統一に設定され又は単独で設定されてもよい。
【００６４】
前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含んでもよい。
【００６５】
本発明の実施例は端末を更に提供しており、
基地局が送信した端末専用ハイレイヤシグナリング及び／又は物理層シグナリングを受信するように設置される受信モジュール、及び
前記端末専用ハイレイヤシグナリング及び／又は物理層シグナリングに基づいて強化物理下りリンクコントロールチャネル（ｅＰＤＣＣＨ）リソースを検出する時別の一つ又は複数の復調基準信号（ＤＭＲＳ）アンテナポートが別の一つ又は複数のユーザのｅＰＤＣＣＨ及び／又は物理下りリンク共有チャネル（ＰＤＳＣＨ）伝送に用いられるかどうかの仮定を取得するように設置される取得モジュールを含む。
【００６６】
前記取得モジュールは、
前記端末ハイレイヤシグナリングに基づいて、設定されたＫ個のｅＰＤＣＣＨ検出セットを取得し、且つ前記端末がｅＰＤＣＣＨリソースを検出する時前記Ｋ個のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を単独で設定するためのハイレイヤシグナリングを受信し、そのうちＫは正整数であるように設置されてもよい。
【００６７】
前記取得モジュールは、
前記端末専用ハイレイヤシグナリングに基づいて、設定されたＫ個のｅＰＤＣＣＨ検出セットを取得し、且つ前記端末がｅＰＤＣＣＨリソースを検出する時Ｋ個のｅＰＤＣＣＨ検出セットにおける一部又は全部のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定するためのハイレイヤシグナリングを取得し、そのうちＫは正整数であり、又は
前記端末専用ハイレイヤシグナリングに基づいて、設定されたＸ個のサブフレームセットを取得し、且つ前記端末がｅＰＤＣＣＨリソースを検出する時前記Ｘ個のサブフレームセットにおける一部又は全部のサブフレームセット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定するためのハイレイヤシグナリングを取得し、そのうちＸは正整数であるように設置されてもよい。
【００６８】
前記Ｋ個のｅＰＤＣＣＨ検出セットは前記取得モジュールにより統一に取得され又は単独で取得されてもよい。
【００６９】
前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含んでもよい。
【００７０】
本発明の実施例はアンテナポート情報の取得方法を提供しており、該方法は、
端末は強化物理下りリンクコントロールチャネル（ｅＰＤＣＣＨ）伝送モードに基づいて、ｅＰＤＣＣＨリソースを検出する時別の一つ又は複数の復調基準信号（ＤＭＲＳ）アンテナポートが別の一つ又は複数の端末のｅＰＤＣＣＨ又は物理下りリンク共有チャネル（ＰＤＳＣＨ）伝送に用いられるかどうかの仮定を必要とするかどうかを確定することを含む。
【００７１】
前記端末はｅＰＤＣＣＨ伝送モードに基づいてｅＰＤＣＣＨリソースを検出する時別の一つ又は複数のＤＭＲＳアンテナポートが別の一つ又は複数の端末のｅＰＤＣＣＨ又はＰＤＳＣＨ伝送に用いられるかどうかの仮定を必要とするかどうかを確定するステップは、
前記端末設定が集中式ｅＰＤＣＣＨである時、前記端末は前記ｅＰＤＣＣＨリソースを検出する時始終的に別の一つ又は複数のＤＭＲＳアンテナポートが別の一つ又は複数の端末のｅＰＤＣＣＨ又はＰＤＳＣＨ伝送に用いられないと仮定すること、又は
前記端末設定が分散型ｅＰＤＣＣＨである時、前記端末は前記ｅＰＤＣＣＨリソースを検出する時始終的に別の一つ又は複数のＤＭＲＳアンテナポートが別の一つ又は複数の端末のｅＰＤＣＣＨ又はＰＤＳＣＨ伝送に用いられると仮定することを含んでもよい。
【００７２】
前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含んでもよい。
【００７３】
本発明の実施例は端末を更に提供しており、 
強化物理下りリンクコントロールチャネル（ｅＰＤＣＣＨ）伝送モードに基づいてｅＰＤＣＣＨリソースを検出する時別の一つ又は複数の復調基準信号（ＤＭＲＳ）アンテナポートが別の一つ又は複数の端末のｅＰＤＣＣＨ又は物理下りリンク共有チャネル（ＰＤＳＣＨ）伝送に用いられるかどうかの仮定を必要とするかどうかを確定するように設置される確定モジュールを含んでもよい。
【００７４】
前記確定モジュールは、
前記端末設定が集中式ｅＰＤＣＣＨである時、前記ｅＰＤＣＣＨリソースを検出する時始終的に別の一つ又は複数のＤＭＲＳアンテナポートが別の一つ又は複数の端末のｅＰＤＣＣＨ又はＰＤＳＣＨ伝送に用いられないと仮定し、又は
前記端末設定が分散型ｅＰＤＣＣＨである時、前記ｅＰＤＣＣＨリソースを検出する時始終的に別の一つ又は複数のＤＭＲＳアンテナポートが別の一つ又は複数の端末のｅＰＤＣＣＨ又はＰＤＳＣＨ伝送に用いられると仮定するように設置されてもよい。
【００７５】
前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含んでもよい。
【００７６】
本発明の実施例はアンテナポート情報の取得方法を更に提供しており、 
端末は強化物理下りリンクコントロールチャネル（ｅＰＤＣＣＨ）リソースを検出する時始終的に別の一つ又は複数の復調基準信号（ＤＭＲＳ）アンテナポートが別の一つ又は複数の端末のｅＰＤＣＣＨ又は物理下りリンク共有チャネル（ＰＤＳＣＨ）伝送に用いられないと仮定することを含む。
【００７７】
前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含んでもよい。
【００７８】
本発明の実施例は端末を更に提供しており、 
強化物理下りリンクコントロールチャネル（ｅＰＤＣＣＨ）リソースを検出する時、始終的に別の一つ又は複数の復調基準信号（ＤＭＲＳ）アンテナポートが別の一つ又は複数の端末のｅＰＤＣＣＨ又は物理下りリンク共有チャネル（ＰＤＳＣＨ）伝送に用いられないと仮定するように設置される処理モジュールを含む。
【００７９】
前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含んでもよい。
【発明の効果】
【００８０】
上記本発明の実施例中において、より柔軟的なスケジューリング設定を実現し、システムのアダプティブ能力及び平均パフォーマンスを向上させることができ、システム検出の正確率を向上させ、及び端末が他のポートの干渉情報を間違って検出してもたらすｅＰＤＣＣＨ検出ミスの問題を避けることができる。
【図面の簡単な説明】
【００８１】
【図１】図１は本発明の実施例のチャネル状態情報フィードバックシグナリングの設定方法のフローチャートである。
【図２】図２は本発明の実施例のチャネル状態情報のフィードバック方法のフローチャートである。
【図３ａ】図３ａは本発明の実施例中において用いるＣＳＩ測定プロセスの模式図一である。
【図３ｂ】図３ｂは本発明の実施例中において用いるＣＳＩ報告状態の模式図一である。
【図４ａ】図４ａは本発明の実施例中において用いるＣＳＩ測定プロセスの模式図二である。
【図４ｂ】図４ｂは本発明の実施例中において用いるＣＳＩ報告状態の模式図二である。
【図５】図５は本発明の実施例の基地局の構造模式図である。
【図６】図６は本発明の実施例の端末の構造模式図である。
【図７】図７は本発明の実施例のデータ復調の設定方法のフローチャートである。
【図８】図８は本発明の実施例のデータ復調の方法のフローチャートである。
【図９】図９は本発明の実施例の別の基地局の構造模式図である。
【図１０】図１０は本発明の実施例の別の端末の構造模式図である。
【発明を実施するための形態】
【００８２】
以下、図面を参照しながら、本発明の実施例を詳細に説明する。ただし、衝突がない場合、本願における実施例及び実施例における特徴は互いに任意に組み合せることができる。
【００８３】
本発明の実施例はチャネル状態情報フィードバックシグナリングの設定方法を提供しており、図１に示すように、該方法は基地局側から記述され、該方法は以下のステップを含む。
【００８４】
ステップ１０１：基地局は端末にＣＳＩを測定及びフィードバックするためのＣＳＩ測定プロセスをＮ個設定し、そのうち、前記Ｎ個のＣＳＩ測定プロセスはいずれも端末専用ハイレイヤシグナリングにより単独で以下のシグナリング、即ち、コードブック制限セット集合、ＰＭＩ−ＲＩ−Ｒｅｐｏｒｔ、ＰＭＩ／ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応するＰＵＣＣＨがフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンスＩＤのうちの１種又は複数種を設定する。
【００８５】
ステップ１０２：基地局は前記端末に前記Ｎ個のＣＳＩ測定プロセスを送信し、そのうちＮが正整数である。
【００８６】
本発明の実施例はチャネル状態情報のフィードバック方法を更に提供しており、図２に示すように、該方法は端末側から記述され、該方法は以下のステップを含む。
【００８７】
ステップ２０１：端末は、基地局が送信したＮ個のＣＳＩ測定プロセスを受信し、そのうち、前記Ｎ個のＣＳＩ測定プロセスはいずれも端末専用ハイレイヤシグナリングにより単独で以下のシグナリング、即ち、コードブック制限セット集合、ＰＭＩ−ＲＩ−Ｒｅｐｏｒｔ、ＰＭＩ／ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応するＰＵＣＣＨがフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンスＩＤのうちの１種又は複数種を設定する。
【００８８】
ステップ２０２：端末は前記Ｎ個のＣＳＩ測定プロセスに基づいてＣＳＩを測定し、且つ前記基地局に測定報告をフィードバックする。
【００８９】
上記実施例に対して、前記一つのＣＳＩ測定プロセスは一つのみのＣＳＩプロセスを含み、又は一つのＣＳＩプロセスと一つのサブフレームセットの組合せを含む。一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応する。
【００９０】
本発明の実施例中において言及したＣＳＩ測定プロセスは、該測定プロセスがＣＳＩプロセス又はＣＳＩプロセスとサブフレームセットの組合せであることを説明するためのものに過ぎない。実際標準又は達成可能はＣＳＩ測定プロセスの概念を定義し、又は別の名称で該概念を指示することがなく、本発明の実施例中において記述の便宜を図るためのみであり、ＣＳＩ測定プロセスという名称を利用して、本発明の実施例の設計思想にあらゆる制限をもたらさない。一つのサブフレームセット設定情報は２つのサブフレームセット又は２つのサブフレームセット設定を含み、それぞれサブフレームセット０及びサブフレームセット１に対応する。前記一つのＣＳＩプロセスは一つのＮＺＰ  ＣＳＩ−ＲＳ及び一つのＩＭＲの組合せを含み、又は前記ＣＳＩプロセスは一つのＮＺＰ  ＣＳＩ−ＲＳ、一つのＩＭＲ及び一つの干渉補償リソースの組合せを含む。
【００９１】
以下、基地局と端末のインタラクションの角度から本発明の実施例の技術的解決手段を詳細に記述する。
【００９２】
実施例一
基地局は端末にＮ個のＣＳＩ測定プロセスを設定し、該Ｎ個のＣＳＩ測定プロセスはそれぞれチャネル状態情報の測定及びフィードバックを行うことに用いられる。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングによりコードブック制限セット集合を単独で設定する。一つのＣＳＩプロセスはサブフレームセット設定情報を設定していないと、一つのＣＳＩ測定プロセスは一つのＣＳＩプロセスに対応する。一つのＣＳＩプロセスはサブフレームセット設定情報を設定すると、一方のＣＳＩ測定プロセスは前記ＣＳＩプロセスとサブフレームセット設定情報のうちの第１個のサブフレームセットの組合せに対応し、他方のＣＳＩ測定プロセスは前記ＣＳＩプロセスとサブフレームセット設定情報のうちの第２個のサブフレームセットの組合せに対応する。
【００９３】
端末は、Ｎ個のＣＳＩ測定プロセスを受信することにより、端末がＮ個のＣＳＩ測定プロセスに対してそれぞれ行うチャネル状態情報の測定及びフィードバックを確定する。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングを受信することによりコードブック制限セット集合を単独で確定する。端末は、受信したコードブック制限セット集合に基づいて、ＣＳＩ測定プロセスに対してチャネル測定を行う時使用するコードブック制限セット集合を確定する。
【００９４】
実施例二
基地局は端末にＮ個のＣＳＩ測定プロセスを設定し、該Ｎ個のＣＳＩ測定プロセスはそれぞれチャネル状態情報の測定及びフィードバックを行うことに用いられる。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングによりＰＭＩ−ＲＩ−Ｒｅｐｏｒｔを単独で設定する。一つのＣＳＩプロセスはサブフレームセット設定情報を設定していないと、一つのＣＳＩ測定プロセスは一つのＣＳＩプロセスに対応する。一つのＣＳＩプロセスはサブフレームセット設定情報を設定すると、一方のＣＳＩ測定プロセスは前記ＣＳＩプロセスとサブフレームセット設定情報のうちの第１個のサブフレームセットの組合せに対応し、他方のＣＳＩ測定プロセスは前記ＣＳＩプロセスとサブフレームセット設定情報のうちの第２個のサブフレームセットの組合せに対応する。
【００９５】
端末は、Ｎ個のＣＳＩ測定プロセスを受信することにより、端末がＮ個のＣＳＩ測定プロセスに対してそれぞれ行うチャネル状態情報の測定及びフィードバックを確定する。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングを受信することによりＰＭＩ−ＲＩ−Ｒｅｐｏｒｔを単独で確定する。端末は受信したＰＭＩ−ＲＩ−Ｒｅｐｏｒｔ指示に基づいて、ＣＳＩ測定プロセスに対してチャネル測定及びフィードバックを行う時、フィードバックＲＩ及びＰＭＩをフィードバックするかどうかを確定する。ＰＭＩ−ＲＩ−Ｒｅｐｏｒｔ又はＰＭＩ−ＲＩ−Ｒｅｐｏｒｔイネーブルを設定すると、端末はＲＩ及びＰＭＩのフィードバックを行う、ＰＭＩ−ＲＩ−Ｒｅｐｏｒｔ又はＰＭＩ−ＲＩ−Ｒｅｐｏｒｔイネーブルを設定していないと、端末はＲＩ及びＰＭＩのフィードバックを行わない。
【００９６】
実施例三
基地局は端末にＮ個のＣＳＩ測定プロセスを設定し、該Ｎ個のＣＳＩ測定プロセスはそれぞれチャネル状態情報の測定及びフィードバックを行うことに用いられる。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングを受信することによりＰＭＩ／ＲＩフィードバックイネーブルを単独で設定する。一つのＣＳＩプロセスはサブフレームセット設定情報を設定していないと、一つのＣＳＩ測定プロセスは一つのＣＳＩプロセスに対応する。一つのＣＳＩプロセスはサブフレームセット設定情報を設定すると、一方のＣＳＩ測定プロセスは前記ＣＳＩプロセスとサブフレームセット設定情報のうちの第１個のサブフレームセットの組合せに対応し、他方のＣＳＩ測定プロセスは前記ＣＳＩプロセスとサブフレームセット設定情報のうちの第２個のサブフレームセットの組合せに対応する。
【００９７】
端末は、Ｎ個のＣＳＩ測定プロセスを受信することにより、端末がＮ個のＣＳＩ測定プロセスに対してそれぞれ行うチャネル状態情報の測定及びフィードバックを確定する。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングを受信することによりＰＭＩ／ＲＩフィードバックイネーブルを単独で確定する。端末は受信したＰＭＩ／ＲＩフィードバックイネーブル指示に基づいて、ＣＳＩ測定プロセスに対してチャネル測定及びフィードバックを行う時、ＲＩ及びＰＭＩをフィードバックするかどうかを確定する。ＰＭＩ／ＲＩフィードバックイネーブルを設定すると、端末はＲＩ及びＰＭＩのフィードバックを行う、ＰＭＩ／ＲＩフィードバックイネーブルを設定していないと、端末はＲＩ及びＰＭＩのフィードバックを行わない。
【００９８】
実施例四
基地局は端末にＮ個のＣＳＩ測定プロセスを設定し、該Ｎ個のＣＳＩ測定プロセスはそれぞれチャネル状態情報の測定及びフィードバックを行うことに用いられる。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングにより、参照プロセスによるＲＩフィードバックイネーブルを単独で設定する。一つのＣＳＩプロセスはサブフレームセット設定情報を設定していないと、一つのＣＳＩ測定プロセスは一つのＣＳＩプロセスに対応する。一つのＣＳＩプロセスはサブフレームセット設定情報を設定すると、一方のＣＳＩ測定プロセスは前記ＣＳＩプロセスとサブフレームセット設定情報のうちの第１個のサブフレームセットの組合せに対応し、他方のＣＳＩ測定プロセスは前記ＣＳＩプロセスとサブフレームセット設定情報のうちの第２個のサブフレームセットの組合せに対応する。
【００９９】
端末は、Ｎ個のＣＳＩ測定プロセスを受信することにより、端末がＮ個のＣＳＩ測定プロセスに対してそれぞれ行うチャネル状態情報の測定及びフィードバックを確定する。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングを受信することにより参照プロセスによるＲＩフィードバックイネーブルを単独で確定する。端末は、受信した参照プロセスによるＲＩフィードバックイネーブルの指示に基づいて、ＣＳＩ測定プロセスに対してチャネル測定及びフィードバックを行う時、設定された参照ＣＳＩ測定プロセス又はＣＳＩプロセスのＲＩに従ってＰＭＩ及び／又はＣＱＩ計算を行ってフィードバックするかどうかを確定する。参照プロセスによるＲＩフィードバックイネーブルを設定すると、端末は設定された参照ＣＳＩ測定プロセス又はＣＳＩプロセスのＲＩに従ってＰＭＩ及び／又はＣＱＩ計算を行ってフィードバックし、参照プロセスによるＲＩフィードバックイネーブルを設定していないと、端末はＣＳＩ測定プロセスに従ってＲＩの計算を行い、及び計算したＲＩに従ってＰＭＩ及び／又はＣＱＩ計算を行ってフィードバックする。
【０１００】
実施例五
基地局は端末にＮ個のＣＳＩ測定プロセスを設定し、該Ｎ個のＣＳＩ測定プロセスはそれぞれチャネル状態情報の測定及びフィードバックを行うことに用いられる。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングにより、参照プロセスによるＰＭＩフィードバックイネーブルを単独で設定する。一つのＣＳＩプロセスはサブフレームセット設定情報を設定していないと、一つのＣＳＩ測定プロセスは一つのＣＳＩプロセスに対応する。一つのＣＳＩプロセスはサブフレームセット設定情報を設定すると、一方のＣＳＩ測定プロセスは前記ＣＳＩプロセスとサブフレームセット設定情報のうちの第１個のサブフレームセットの組合せに対応し、他方のＣＳＩ測定プロセスは前記ＣＳＩプロセスとサブフレームセット設定情報のうちの第２個のサブフレームセットの組合せに対応する。
【０１０１】
端末は、Ｎ個のＣＳＩ測定プロセスを受信することにより、端末がＮ個のＣＳＩ測定プロセスに対してそれぞれ行うチャネル状態情報の測定及びフィードバックを確定する。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングを受信することにより、参照プロセスによるＰＭＩフィードバックイネーブルを単独で確定する。端末は、受信した参照プロセスによるＰＭＩフィードバックイネーブルの指示に基づいて、ＣＳＩ測定プロセスに対してチャネル測定及びフィードバックを行う時、設定された参照ＣＳＩ測定プロセス又はＣＳＩプロセスのＰＭＩに従ってＣＱＩ計算を行ってフィードバックするかどうかを確定する。参照プロセスによるＰＭＩフィードバックイネーブルを設定すると、端末は設定された参照ＣＳＩ測定プロセス又はＣＳＩプロセスのＰＭＩに従ってＣＱＩ計算を行ってフィードバックし、参照プロセスによるＰＭＩフィードバックイネーブルを設定していなと、端末はＣＳＩ測定プロセスに従ってＲＩ及びＰＭＩの計算を行い、及び計算したＲＩ及びＰＭＩＣＱＩに従って計算を行ってフィードバックする。
【０１０２】
実施例六
基地局は端末にＮ個のＣＳＩ測定プロセスを設定し、該Ｎ個のＣＳＩ測定プロセスはそれぞれチャネル状態情報の測定及びフィードバックを行うことに用いられる。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングにより、参照プロセスによるサブバンドフィードバックイネーブルを単独で設定する。一つのＣＳＩプロセスはサブフレームセット設定情報を設定していないと、一つのＣＳＩ測定プロセスは一つのＣＳＩプロセスに対応する。一つのＣＳＩプロセスはサブフレームセット設定情報を設定すると、一方のＣＳＩ測定プロセスは前記ＣＳＩプロセスとサブフレームセット設定情報のうちの第１個のサブフレームセットの組合せに対応し、他方のＣＳＩ測定プロセスは前記ＣＳＩプロセスとサブフレームセット設定情報のうちの第２個のサブフレームセットの組合せに対応する。
【０１０３】
端末は、Ｎ個のＣＳＩ測定プロセスを受信することにより、端末がＮ個のＣＳＩ測定プロセスに対してそれぞれ行うチャネル状態情報の測定及びフィードバックを確定する。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングを受信することにより参照プロセスによるサブバンドフィードバックイネーブルを単独で確定する。端末側は、受信した参照プロセスによるサブバンドフィードバックイネーブルの指示に基づいて、ＣＳＩ測定プロセスに対してチャネル測定及びフィードバックを行う時、設定された参照ＣＳＩ測定プロセス又はＣＳＩプロセスのサブバンドに従ってＲＩ及び／又はＰＭＩ及び／又はＣＱＩ計算を行ってフィードバックするかどうかを確定する。参照プロセスによるサブバンドフィードバックイネーブルを設定すると、端末は設定された参照ＣＳＩ測定プロセス又はＣＳＩプロセスのサブバンドに従ってＲＩ及び／又はＰＭＩ及び／又はＣＱＩ計算を行ってフィードバックし、参照プロセスによるサブバンドフィードバックイネーブルを設定していないと、端末はＣＳＩ測定プロセスに従って最も好ましいサブバンドのＲＩ及びＰＭＩの計算を行い、及び計算したＲＩ及びＰＭＩに従ってＣＱＩ計算を行ってフィードバックする。
【０１０４】
実施例七
基地局は端末にＮ個のＣＳＩ測定プロセスを設定し、該Ｎ個のＣＳＩ測定プロセスはそれぞれチャネル状態情報の測定及びフィードバックを行うことに用いられる。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングによりフィードバックモードを単独で設定する。一つのＣＳＩプロセスはサブフレームセット設定情報を設定していないと、一つのＣＳＩ測定プロセスは一つのＣＳＩプロセスに対応する。一つのＣＳＩプロセスはサブフレームセット設定情報を設定すると、一方のＣＳＩ測定プロセスは前記ＣＳＩプロセスとサブフレームセット設定情報のうちの第１個のサブフレームセットの組合せに対応し、他方のＣＳＩ測定プロセスは前記ＣＳＩプロセスとサブフレームセット設定情報のうちの第２個のサブフレームセットの組合せに対応する。
【０１０５】
端末は、Ｎ個のＣＳＩ測定プロセスを受信することにより、端末がＮ個のＣＳＩ測定プロセスに対してそれぞれ行うチャネル状態情報の測定及びフィードバックを確定する。そのうち測定及びフィードバックした内容は少なくともＰＭＩ、ＣＱＩ及びＲＩの一つを含み、さらに、Ｎ個のＣＳＩ測定プロセスに対して、いずれも端末専用ハイレイヤシグナリングを受信することによりフィードバックモードを単独で確定する。端末は、受信したフィードバックモード指示に基づいて、ＣＳＩ測定プロセスに対してチャネル測定及びフィードバックを行う時、使用するフィードバックモードを確定する。端末は設定されたフィードバックモードに従ってＣＳＩ測定プロセスに対してＲＩ及び／又はＰＭＩ及び／又はＣＱＩ計算を行ってフィードバックする。
【０１０６】
実施例八
基地局は端末専用ハイレイヤシグナリングにより一つ又は複数のＣＳＩ測定プロセスを設定し、次に更にビットマップシーケンスを用いる一つの端末専用ハイレイヤシグナリングにより一つの非サイクルトリガー状態に対応する一つ又は複数のＣＳＩプロセスを設定する。基地局はＤＣＩにおける２ビットトリガーシグナリングにより各非サイクルトリガー状態に対応する一つ又は複数のＣＳＩプロセスをトリガーする。
【０１０７】
端末は端末専用ハイレイヤシグナリングを受信することにより一つ又は複数のＣＳＩ測定プロセスを取得し、次に更にビットマップシーケンスを用いる一つの端末専用ハイレイヤシグナリングを受信することにより一つの非サイクルトリガー状態に対応する一つ又は複数のＣＳＩプロセスを取得する。端末は、ＤＣＩにおける２ビットトリガーシグナリングを検出することにより、各非サイクルトリガー状態に対応する一つ又は複数のＣＳＩプロセスをトリガーするシグナリングを取得する。これによって端末は受信したトリガーシグナリングに基づいて非サイクルＣＳＩ報告のフィードバックを行う。
【０１０８】
シグナリング設計は、図３ａに示すように、３個のＣＳＩプロセスを設定したと仮定し、各ＣＳＩプロセスには２つのサブフレームセットを設定し、合計して６個のＣＳＩ測定プロセス、つまり、ＣＳＩ測定プロセス０、ＣＳＩ測定プロセス１、ＣＳＩ測定プロセス２、ＣＳＩ測定プロセス３、ＣＳＩ測定プロセス４及びＣＳＩ測定プロセス５を構成する。各ＣＳＩ報告状態は付加されたビットマップシーケンスの端末専用ハイレイヤシグナリングにより通知され、たとえば、該６個のＣＳＩＩ測定プロセスはビット長さが６ビットであるビットマップシーケンスを必要とし、図３ｂに示すように、ビットマップシーケンス中における各ビットは一つのＣＳＩ測定プロセスが該ＣＳＩ測定プロセスに対応するＣＳＩ報告状態に含まれるかどうかを代表し、含まれないと、該ＣＳＩ測定プロセスに対応するビット値が０であり、含まれると、該ＣＳＩ測定プロセスに対応するビット値が１である。２ビットＤＣＩとＣＳＩ報告状態の対応関係は表４に示される。
【０１０９】
【表４】
0006349301.tif 000005
【０１１０】
又は、シグナリング設計は、図４ｂに示すように、４個のＣＳＩプロセスを設定したと仮定し、各ＣＳＩプロセスは２つのサブフレームセットを設定し、合計して８個のＣＳＩ測定プロセス、つまり、ＣＳＩ測定プロセス０、ＣＳＩ測定プロセス１、ＣＳＩ測定プロセス２、ＣＳＩ測定プロセス３、ＣＳＩ測定プロセス４、ＣＳＩ測定プロセス５、ＣＳＩ測定プロセス６及びＣＳＩ測定プロセス７を構成する。各ＣＳＩ報告状態は付加されたビットマップシーケンスの端末専用ハイレイヤシグナリングにより通知され、たとえば、該８個のＣＳＩ測定プロセスはビット長さが８ビットであるビットマップシーケンスを必要とし、図４ｂに示すように、ビットマップシーケンスにおける各ビットは一つのＣＳＩ測定プロセスが該ＣＳＩ測定プロセスに対応するＣＳＩ報告状態に含まれるかどうかを代表し、含まれないと、該ＣＳＩ測定プロセスに対応するビット値が０であり、含まれると、該ＣＳＩ測定プロセスに対応するビット値が１である。  ２ビットＤＣＩとＣＳＩ報告状態の対応関係は上記表４に示される。
【０１１１】
実施例九
基地局は端末専用ハイレイヤシグナリングにより一つ又は複数のＣＳＩ測定プロセスを設定し、端末が周期的に一つ又は複数のＣＳＩ測定プロセスに従ってフィードバックするように設定する。
【０１１２】
端末がフィードバックした複数のＣＳＩ報告は衝撃する時、下記の優先度に従ってＣＳＩ報告の廃棄（Ｄｒｏｐｐｉｎｇ）を行う。
【０１１３】
報告タイプ  →  ＣＳＩ測定プロセスインデックス→  搬送波インデックスであり、つまり、まず報告タイプ優先度が比較的低いＣＳＩ報告を廃棄し、報告タイプが同一であると、ＣＳＩ測定プロセスインデックス優先度が比較的低いＣＳＩ報告を廃棄し、ＣＳＩ測定プロセスインデックスが同一であると、搬送波インデックス優先度が比較的低いＣＳＩ報告を廃棄する。
【０１１４】
実施例十
基地局は端末にＮ個のＣＳＩプロセスを設定し、該Ｎ個のＣＳＩプロセスはそれぞれチャネル状態情報の測定及びフィードバックを行うことに用いられる。Ｎ個のＣＳＩプロセスに対して、いずれも端末専用ハイレイヤシグナリングによりＣＳＩプロセスに対応するＰＵＣＣＨがフィードバックしたリソース位置を単独で設定する。
【０１１５】
端末はＮ個のＣＳＩプロセスを受信することにより、端末がＮ個のＣＳＩプロセスに対してそれぞれ行うチャネル状態情報の測定及びフィードバックを確定する。Ｎ個のＣＳＩプロセスに対して、いずれも端末専用ハイレイヤシグナリングを受信することによりＣＳＩプロセスに対応するＰＵＣＣＨがフィードバックしたリソース位置を単独で確定する。端末は受信したＣＳＩプロセスに対応するＰＵＣＣＨがフィードバックしたリソース位置に基づいて、ＣＳＩプロセスに対して上りリンクでフィードバックしたリソース位置を確定する。
【０１１６】
そのうち、前記ＰＵＣＣＨがフィードバックしたリソース位置は標準における
【０１１７】
【数１】
0006349301.tif 000006
【０１１８】
に対応し、
【０１１９】
【数２】
0006349301.tif 000007
【０１２０】
はＰＵＣＣＨを送信するアンテナポートインデックスである。
【０１２１】
実施例十一
基地局は端末にＮ個のＣＳＩプロセスを設定し、該Ｎ個のＣＳＩプロセスはそれぞれチャネル状態情報の測定及びフィードバックを行うことに用いられる。Ｎ個のＣＳＩプロセスに対して、いずれも端末専用ハイレイヤシグナリングによりＣＳＩプロセスに対応するＰＵＣＣＨの初期化シーケンスＩＤを単独で設定する。
【０１２２】
端末はＮ個のＣＳＩプロセスを受信することにより、端末がＮ個のＣＳＩプロセスに対してそれぞれ行うチャネル状態情報の測定及びフィードバックを確定する。Ｎ個のＣＳＩプロセスに対して、いずれも端末専用ハイレイヤシグナリングを受信することによりＣＳＩプロセスに対応するＰＵＣＣＨの初期化シーケンスＩＤを単独で確定する。
【０１２３】
そのうち、ＰＵＣＣＨの初期化シーケンスＩＤはＰＵＣＣＨの基本シーケンス
【０１２４】
【数３】
0006349301.tif 000008
【０１２５】
（標準における３６．２１１  ５．４．２節における基本シーケンス表示に対応する）及びシーケンス循環シフトを生成することに用いられる。そのうち基本シーケンスのグループ番号は
【０１２６】
【数４】
0006349301.tif 000009
【０１２７】
により提供される。
【０１２８】
【数５】
0006349301.tif 000010
【０１２９】
そのうち、グループホッピングパターン
【０１３０】
【数６】
0006349301.tif 000011
【０１３１】
は下記公式で生成される。
【０１３２】
【数７】
0006349301.tif 000012
【０１３３】
そのうち、擬似ランダムシーケンス
【０１３４】
【数８】
0006349301.tif 000013
【０１３５】
は３６．２１１  ７．２節において擬似ランダムシーケンスを生成する発生器で生成され、初期化因子
【０１３６】
【数９】
0006349301.tif 000014
【０１３７】
は公式
【０１３８】
【数１０】
0006349301.tif 000015
【０１３９】
により生成され、そのうち、
【０１４０】
【数１１】
0006349301.tif 000016
【０１４１】
は設定されたＰＵＣＣＨの初期化シーケンスＩＤであり、各無線フレームの開始に初期化
【０１４２】
【数１２】
0006349301.tif 000017
【０１４３】
を行う。
【０１４４】
シーケンスシフトデパターン
【０１４５】
【数１３】
0006349301.tif 000018
【０１４６】
は公式
【０１４７】
【数１４】
0006349301.tif 000019
【０１４８】
により算出され、そのうち、
【０１４９】
【数１５】
0006349301.tif 000020
【０１５０】
は設定されたＰＵＣＣＨの初期化シーケンスＩＤであり、各無線フレームの開始に初期化
【０１５１】
【数１６】
0006349301.tif 000021
【０１５２】
を行う。
【０１５３】
ＰＵＣＣＨフォーマットに対して、基本シーケンス循環シフト
【０１５４】
【数１７】
0006349301.tif 000022
【０１５５】
を利用して、各符号及びタイムスロットに基づいて変化を行う。
【０１５６】
【数１８】
0006349301.tif 000023
【０１５７】
そのうち、擬似ランダムシーケンス
【０１５８】
【数１９】
0006349301.tif 000024
【０１５９】
は３６．２１１  ７．２節中において擬似ランダムシーケンスを生成する発生器で生成され、擬似ランダムシーケンス
【０１６０】
【数２０】
0006349301.tif 000025
【０１６１】
の初期化因子
【０１６２】
【数２１】
0006349301.tif 000026
【０１６３】
は公式
【０１６４】
【数２２】
0006349301.tif 000027
【０１６５】
により提供される。
【０１６６】
そのうち、
【０１６７】
【数２３】
0006349301.tif 000028
【０１６８】
はＰＵＣＣＨの初期化シーケンスＩＤであり、且つ
【０１６９】
【数２４】
0006349301.tif 000029
【０１７０】
は
【０１７１】
【数２５】
0006349301.tif 000030
【０１７２】
又は
【０１７３】
【数２６】
0006349301.tif 000031
【０１７４】
と称されてもよく、この呼び方は本発明の実施例の思想を制限しない。
【０１７５】
実施例十二
基地局は端末にＮ個のＣＳＩ測定プロセスを設定し、該Ｎ個のＣＳＩ測定プロセスはそれぞれチャネル状態情報の測定及びフィードバックを行うことに用いられる。Ｎ個のＣＳＩ測定プロセスに対して、いずれも端末専用ハイレイヤシグナリングによりＣＳＩ測定プロセスに対応するＰＵＣＣＨがフィードバックしたリソース位置を単独で設定する。
【０１７６】
端末は、Ｎ個のＣＳＩ測定プロセスを受信することにより、端末がＮ個のＣＳＩ測定プロセスに対してそれぞれ行うチャネル状態情報の測定及びフィードバックを確定する。Ｎ個のＣＳＩ測定プロセスに対して、いずれも端末専用ハイレイヤシグナリングを受信することによりＣＳＩ測定プロセスに対応するＰＵＣＣＨがフィードバックしたリソース位置を単独で確定する。端末は受信したＣＳＩ測定プロセスに対応するＰＵＣＣＨがフィードバックしたリソース位置に基づいて、ＣＳＩ測定プロセスに対して上りリンクでフィードバックしたリソース位置を確定する。
【０１７７】
そのうち、前記ＰＵＣＣＨがフィードバックしたリソース位置は標準における
【０１７８】
【数２７】
0006349301.tif 000032
【０１７９】
に対応する。そのうち
【０１８０】
【数２８】
0006349301.tif 000033
【０１８１】
はＰＵＣＣＨを送信するアンテナポートインデックスである。
【０１８２】
前記ＣＳＩ測定プロセスは、一つのＣＳＩプロセス又は一つのＣＳＩプロセスと一つのサブフレームセットの組合せを含む。一つのＣＳＩプロセスはサブフレームセット設定情報を設定していないと、一つのＣＳＩ測定プロセスは一つのＣＳＩプロセスに対応する。一つのＣＳＩプロセスはサブフレームセット設定情報を設定すると、一方のＣＳＩ測定プロセスは前記ＣＳＩプロセスとサブフレームセット設定情報のうちの第１個のサブフレームセットの組合せに対応し、他方のＣＳＩ測定プロセスは前記ＣＳＩプロセスとサブフレームセット設定情報のうちの第２個のサブフレームセットの組合せに対応する。
【０１８３】
実施例十三
基地局は端末にＮ個のＣＳＩ測定プロセスを設定し、該Ｎ個のＣＳＩ測定プロセスはそれぞれチャネル状態情報の測定及びフィードバックを行うことに用いられる。Ｎ個のＣＳＩ測定プロセスに対して、いずれも端末専用ハイレイヤシグナリングによりＣＳＩ測定プロセスに対応するＰＵＣＣＨの初期化シーケンスＩＤを単独で設定する。
【０１８４】
端末は、Ｎ個のＣＳＩ測定プロセスを受信することにより、端末がＮ個のＣＳＩ測定プロセスに対してそれぞれ行うチャネル状態情報の測定及びフィードバックを確定する。Ｎ個のＣＳＩ測定プロセスに対して、いずれも端末専用ハイレイヤシグナリングを受信することによりＣＳＩ測定プロセスに対応するＰＵＣＣＨの初期化シーケンスＩＤを単独で確定する。
【０１８５】
そのうち、ＰＵＣＣＨの初期化シーケンスＩＤはＰＵＣＣＨの基本シーケンス
【０１８６】
【数２９】
0006349301.tif 000034
【０１８７】
（標準における３６．２１１  ５．４．２節における基本シーケンス表示に対応する）及びシーケンス循環シフトを生成することに用いられる。そのうち基本シーケンスのグループ番号は
【０１８８】
【数３０】
0006349301.tif 000035
【０１８９】
により提供される。
【０１９０】
【数３１】
0006349301.tif 000036
【０１９１】
そのうち、グループホッピングパターン
【０１９２】
【数３２】
0006349301.tif 000037
【０１９３】
は下記の公式で生成される。
【０１９４】
【数３３】
0006349301.tif 000038
【０１９５】
そのうち、擬似ランダムシーケンス
【０１９６】
【数３４】
0006349301.tif 000039
【０１９７】
は３６．２１１  ７．２節における擬似ランダムシーケンスを生成する発生器で生成され、初期化因子
【０１９８】
【数３５】
0006349301.tif 000040
【０１９９】
は公式
【０２００】
【数３６】
0006349301.tif 000041
【０２０１】
により生成され、そのうち
【０２０２】
【数３７】
0006349301.tif 000042
【０２０３】
は設定されたＰＵＣＣＨの初期化シーケンスＩＤであり、各無線フレームの開始に初期化
【０２０４】
【数３８】
0006349301.tif 000043
【０２０５】
を行う。
【０２０６】
シーケンスシフトデパターン
【０２０７】
【数３９】
0006349301.tif 000044
【０２０８】
は公式
【０２０９】
【数４０】
0006349301.tif 000045
【０２１０】
により算出され、そのうち、
【０２１１】
【数４１】
0006349301.tif 000046
【０２１２】
は設定されたＰＵＣＣＨの初期化シーケンスＩＤであり、各無線フレームの開始に初期化
【０２１３】
【数４２】
0006349301.tif 000047
【０２１４】
を行う。
【０２１５】
ＰＵＣＣＨフォーマットに対して、基本シーケンス循環シフト
【０２１６】
【数４３】
0006349301.tif 000048
【０２１７】
を利用して、各符号及びタイムスロットに基づいて変化を行う。
【０２１８】
【数４４】
0006349301.tif 000049
【０２１９】
そのうち、擬似ランダムシーケンス
【０２２０】
【数４５】
0006349301.tif 000050
【０２２１】
は３６．２１１  ７．２節において擬似ランダムシーケンスを生成する発生器で生成され、擬似ランダムシーケンス
【０２２２】
【数４６】
0006349301.tif 000051
【０２２３】
の初期化因子
【０２２４】
【数４７】
0006349301.tif 000052
【０２２５】
は
【０２２６】
【数４８】
0006349301.tif 000053
【０２２７】
により提供される。
【０２２８】
そのうち、
【０２２９】
【数４９】
0006349301.tif 000054
【０２３０】
はＰＵＣＣＨの初期化シーケンスＩＤであり、且つ
【０２３１】
【数５０】
0006349301.tif 000055
【０２３２】
は
【０２３３】
【数５１】
0006349301.tif 000056
【０２３４】
又は
【０２３５】
【数５２】
0006349301.tif 000057
【０２３６】
と称されてもよく、この呼び方は本発明の実施例の思想を制限しない。
【０２３７】
前記ＣＳＩ測定プロセスは、一つのＣＳＩプロセス又は一つのＣＳＩプロセスと一つのサブフレームセットの組合せを含む。一つのＣＳＩプロセスはサブフレームセット設定情報を設定していないと、一つのＣＳＩ測定プロセスは一つのＣＳＩプロセスに対応する。一つのＣＳＩプロセスはサブフレームセット設定情報を設定すると、一方のＣＳＩ測定プロセスは前記ＣＳＩプロセスとサブフレームセット設定情報のうちの第１個のサブフレームセットの組合せに対応し、他方のＣＳＩ測定プロセスは前記ＣＳＩプロセスとサブフレームセット設定情報のうちの第２個のサブフレームセットの組合せに対応する。
【０２３８】
実施例十四
基地局は端末にＮ個のＣＳＩプロセスを設定し、該Ｎ個のＣＳＩプロセスはそれぞれチャネル状態情報の測定及びフィードバックを行うことに用いられる。Ｎ個のＣＳＩプロセスに対して、いずれも端末専用ハイレイヤシグナリングによりＣＳＩプロセスに対応するＰＵＣＣＨがフィードバックしたサブフレームオフセット及びサイクルを単独で設定する。
【０２３９】
端末はＮ個のＣＳＩプロセスを受信することにより、端末がＮ個のＣＳＩプロセスに対してそれぞれ行うチャネル状態情報の測定及びフィードバックを確定する。Ｎ個のＣＳＩプロセスに対して、いずれも端末専用ハイレイヤシグナリングを受信することによりＣＳＩプロセスに対応するＰＵＣＣＨがフィードバックしたサブフレームオフセット及びサイクルを単独で確定する。端末は受信したＣＳＩプロセスに対応するＰＵＣＣＨフィードバックサブフレームオフセット及びサイクルに基づいてＣＳＩプロセスに対して上りリンクでフィードバックしたサブフレームオフセット及びサイクルを確定する。
【０２４０】
実施例十五
基地局は端末にＮ個のＣＳＩ測定プロセスを設定し、該Ｎ個のＣＳＩ測定プロセスはそれぞれチャネル状態情報の測定及びフィードバックを行うことに用いられる。Ｎ個のＣＳＩ測定プロセスに対して、いずれも端末専用ハイレイヤシグナリングによりＣＳＩ測定プロセスに対応するＰＵＣＣＨがフィードバックしたサブフレームオフセット及びサイクルを単独で設定する。
【０２４１】
端末は、Ｎ個のＣＳＩ測定プロセスを受信することにより、端末がＮ個のＣＳＩ測定プロセスに対してそれぞれ行うチャネル状態情報の測定及びフィードバックを確定する。Ｎ個のＣＳＩ測定プロセスに対して、いずれも端末専用ハイレイヤシグナリングを受信することによりＣＳＩ測定プロセスに対応するＰＵＣＣＨがフィードバックしたサブフレームオフセット及びサイクルを単独で確定する。端末は、受信したＣＳＩ測定プロセスに対応するＰＵＣＣＨフィードバックサブフレームオフセット及びサイクルに基づいて、ＣＳＩ測定プロセスに対して上りリンクでフィードバックしたサブフレームオフセット及びサイクルを確定する。
【０２４２】
上記実施例中において、基地局及び端末は異なる干渉状況及び伝送モードに対応するＣＳＩに対して、異なるコードブック制限セット集合、ＰＭＩ−ＲＩ−Ｒｅｐｏｒｔ、ＰＭＩフィードバックイネーブル、ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応するＰＵＣＣＨがフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンスＩＤ等のハイレイヤシグナリングを設定し、これによって、より柔軟的なスケジューリング設定を達成し、システムのアダプティブ能力及び平均パフォーマンスを向上させる。
【０２４３】
図５に示すように、本発明の実施例の基地局の構造模式図であり、該基地局は、設定モジュール５１及び送信モジュール５２を含み、そのうち、
設定モジュール５１は、端末にＣＳＩを測定及びフィードバックするためのＣＳＩ測定プロセスをＮ個設定し、そのうち、前記Ｎ個のＣＳＩ測定プロセスはそれぞれ端末専用ハイレイヤシグナリングにより単独で以下のシグナリング、即ち、コードブック制限セット集合、ＰＭＩ−ＲＩ−Ｒｅｐｏｒｔ、ＰＭＩ／ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応するＰＵＣＣＨがフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンスＩＤのうちの１種又は複数種を設定するように設置され、及び
送信モジュール５２は、前記端末に前記Ｎ個のＣＳＩ測定プロセスを送信し、そのうちＮが正整数であるように設置される。
【０２４４】
また、前記設定モジュール５１は、ビットマップシーケンスを用いる端末専用ハイレイヤシグナリングにより一つの非サイクルトリガー状態に対応する一つ又は複数のＣＳＩプロセスを設定し、及びＤＣＩにおける２ビットトリガーシグナリングにより各非サイクルトリガー状態に対応する一つ又は複数のＣＳＩプロセスをトリガーするように更に設置される。
【０２４５】
そのうち、前記一つのＣＳＩ測定プロセスは一つのみのＣＳＩプロセスを含み、又は一つのＣＳＩプロセスと一つのサブフレームセットの組合せを含む。一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応する。一つのＣＳＩプロセスがサブフレームセット情報を設定していないと、一つのＣＳＩ測定プロセスは一つのＣＳＩプロセスに対応する。
【０２４６】
上記基地局は、異なる干渉状況及び伝送モードに対応するＣＳＩに対して、異なるコードブック制限セット集合、ＰＭＩ−ＲＩ−Ｒｅｐｏｒｔ、ＰＭＩ／ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応するＰＵＣＣＨがフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンスＩＤ等のハイレイヤシグナリングを設定し、これによって、より柔軟的なスケジューリング設定を達成し、システムのアダプティブ能力及び平均パフォーマンスを向上させる。
【０２４７】
図６に示すように、本発明の実施例の端末の構造模式図であり、該端末は、受信モジュール６１及びフィードバックモジュール６２を含み、そのうち、
受信モジュール６１は、基地局が送信したＮ個のＣＳＩ測定プロセスを受信し、そのうち、前記Ｎ個のＣＳＩ測定プロセスはいずれも端末専用ハイレイヤシグナリングにより単独で以下のシグナリング、即ち、コードブック制限セット集合、ＰＭＩ−ＲＩ−Ｒｅｐｏｒｔ、ＰＭＩフィードバックイネーブル、ＲＩフィードバックイネーブル、参照プロセスによるＲＩフィードバックイネーブル、参照プロセスによるＰＭＩフィードバックイネーブル、参照プロセスによるサブバンドフィードバックイネーブル、フィードバックモード、ＣＳＩ測定プロセスに対応するＰＵＣＣＨがフィードバックしたリソース位置、ＣＳＩ測定プロセスに対応するＰＵＣＣＨがフィードバックしたサブフレームオフセット及びサイクル並びにＣＳＩ測定プロセスに対応するＰＵＣＣＨの初期化シーケンスＩＤのうちの１種又は複数種を設定するように設置され、及び
フィードバックモジュール６２は、前記Ｎ個のＣＳＩ測定プロセスに基づいてＣＳＩを測定し、且つ前記基地局に測定報告をフィードバックするように設置される。
【０２４８】
そのうち、前記一つのＣＳＩ測定プロセスは一つのみのＣＳＩプロセスを含み、又は一つのＣＳＩプロセスと一つのサブフレームセット情報の組合せを含む。一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応する。
【０２４９】
さらに、前記測定報告は、ＰＭＩ、ＣＱＩ及びＲＩのうちの一つ又は複数を含む。
【０２５０】
前記フィードバックモジュールは、フィードバックする必要がある複数の測定報告が衝撃すると確定した時、順に報告タイプ、ＣＳＩ測定プロセスインデックス及び搬送波インデックスの優先順位に従って測定報告を廃棄し、且つ廃棄していない測定報告をフィードバックするという方式で、前記基地局に測定報告をフィードバックするように設置されてもよい。
【０２５１】
前記受信モジュールは、ビットマップシーケンスを用いる一つの端末専用ハイレイヤシグナリングを受信することにより一つの非サイクルトリガー状態に対応する一つ又は複数のＣＳＩプロセスを取得し、及びＤＣＩにおける２ビットトリガーシグナリングを検出することにより各非サイクルトリガー状態に対応する一つ又は複数のＣＳＩプロセスをトリガーするシグナリングを取得するように更に設置されてもよい。
【０２５２】
上記端末は、基地局との協力により、ＣＳＩ報告のフィードバックを完成することができる。
【０２５３】
本発明の実施例は、データ復調の設定方法を更に提供しており、該方法は基地局側から記述され、図７に示すように、該方法は以下のステップを含む。
【０２５４】
ステップ７０１：基地局は端末にＮ個のＣＳＩ測定プロセスと復調パイロット周波数の対応関係を設定し、そのうち、該対応関係は、前記端末現在に下りリンクサービスを受信するサブフレーム上においてどのＣＳＩ測定プロセスに対応するマクロスケール情報及び／又は干渉情報を用いてパイロット周波数復調及びデータ検出を行うかを指示することに用いられ、前記マクロスケール情報は、遅延拡張、各パス遅延、ドップラー周波数偏移、ドップラー拡張及び平均受信電力の情報のうちの１種又は複数種を含む。
【０２５５】
ステップ７０２：基地局は前記端末に前記対応関係を送信する。
【０２５６】
そのうち、前記ＣＳＩ測定プロセスは一つのみのＣＳＩプロセスを含み、又は一つのＣＳＩプロセスと一つのサブフレームセットの組合せを含む。一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応する。一つのＣＳＩプロセスがサブフレームセット情報を設定していないと、一つのＣＳＩ測定プロセスは一つのＣＳＩプロセスに対応する。
【０２５７】
図８に示すように、図８は本発明の実施例のデータ復調の方法のフローチャートであり、該データ復調の方法は以下のステップを含む。
【０２５８】
ステップ８０１：端末は、基地局が送信したＮ個のＣＳＩ測定プロセスと復調パイロット周波数の対応関係を受信する。
【０２５９】
ステップ８０２、端末は前記対応関係に基づいて、現在に下りリンクサービスを受信するサブフレーム上においてどのＣＳＩ測定プロセスに対応するマクロスケール情報及び／又は干渉情報を用いてパイロット周波数復調及びデータ検出を行うかを確定し、そのうち、前記マクロスケール情報は、遅延拡張、各パス遅延、ドップラー周波数偏移、ドップラー拡張及び平均受信電力の情報のうちの１種又は複数種を含む。
【０２６０】
そのうち、前記ＣＳＩ測定プロセスは一つのみのＣＳＩプロセスを含み、又は一つのＣＳＩプロセスと一つのサブフレームセットの組合せを含む。一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応する。一つのＣＳＩプロセスがサブフレームセット情報を設定していないと、一つのＣＳＩ測定プロセスは一つのＣＳＩプロセスに対応する。
【０２６１】
以下、基地局と端末インタラクションの角度から本発明の実施例の技術的解決手段を詳細に記述する。
【０２６２】
実施例十六
基地局は端末にＮ個のＣＳＩ測定プロセスと復調パイロット周波数の対応関係を設定することにより、端末現在に下りリンクサービスを受信するサブフレーム上においてどのＣＳＩ測定プロセスに対応するマクロスケール情報及び／又は干渉情報を用いてパイロット周波数復調及びデータ検出を行うかを指示する。そのうちマクロスケール情報は、
ＣＳＩ測定プロセスに対応する遅延拡張、ＣＳＩ測定プロセスに対応する各パス遅延、ＣＳＩ測定プロセスに対応するドップラー周波数偏移、ＣＳＩ測定プロセスに対応するドップラー拡張、及びＣＳＩ測定プロセスに対応する平均受信電力の一つの情報を少なくとも含む。
【０２６３】
端末は、Ｎ個のＣＳＩ測定プロセスと復調パイロット周波数の対応関係を受信することにより及び下りリンクコントロールチャネルにおけるダイナミックビットにより、端末が現在に下りリンクサービスを受信するサブフレーム上においてどのＣＳＩ測定プロセスに対応するマクロスケール情報及び／又は干渉情報を用いてパイロット周波数復調及びデータ検出を行うかを確定する。そのうちマクロスケール情報は、
ＣＳＩ測定プロセスに対応する遅延拡張、ＣＳＩ測定プロセスに対応する各パス遅延、ＣＳＩ測定プロセスに対応するドップラー周波数偏移、ＣＳＩ測定プロセスに対応するドップラー拡張、及びＣＳＩ測定プロセスに対応する平均受信電力の一つを少なくとも含む。
【０２６４】
前記ＣＳＩ測定プロセスは、一つのＣＳＩプロセス又は一つのＣＳＩプロセスと一つのサブフレームセットの組合せを含む。一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応する。一つのＣＳＩプロセスがサブフレームセット情報を設定していないと、一つのＣＳＩ測定プロセスは一つのＣＳＩプロセスに対応する。
【０２６５】
上記実施例中において、ＣＳＩ測定プロセスとＤＭＲＳ復調を関連させて設定し、異なるＣＳＩ測定プロセスのマクロスケール情報を利用してパイロット周波数復調及びデータ検出を行い、システム検出の正確率を向上させる。
【０２６６】
図９に示すように、本発明の実施例の別の基地局の構造模式図であり、該基地局は、設定モジュール９１及び送信モジュール９２を含み、そのうち、
設定モジュール９１は、端末にＮ個のＣＳＩ測定プロセスと復調パイロット周波数の対応関係を設定し、そのうち、該対応関係は、前記端末現在に下りリンクサービスを受信するサブフレーム上においてどのＣＳＩ測定プロセスに対応するマクロスケール情報及び／又は干渉情報を用いてパイロット周波数復調及びデータ検出を行うかを指示することに用いられ、前記マクロスケール情報は、遅延拡張、各パス遅延、ドップラー周波数偏移、ドップラー拡張及び平均受信電力の情報のうちの１種又は複数種を含むように設置され、及び
送信モジュール９２は、前記端末に前記対応関係を送信するように設置される。
そのうち、前記ＣＳＩ測定プロセスは一つのみのＣＳＩプロセスを含み、又は一つのＣＳＩプロセスと一つのサブフレームセットの組合せを含む。一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応する。一つのＣＳＩプロセスがサブフレームセット情報を設定していないと、一つのＣＳＩ測定プロセスは一つのＣＳＩプロセスに対応する。
【０２６７】
上記基地局は、ＣＳＩ測定プロセスとＤＭＲＳ復調を関連させて設定し、これによって、端末は異なるＣＳＩ測定プロセスのマクロスケール情報を利用してパイロット周波数復調及びデータ検出を行い、システム検出の正確率を向上させることができる。
【０２６８】
図１０に示すように、本発明の実施例の別の端末の構造模式図である。該端末は、受信モジュール１０１及び処理モジュール１０２を含み、そのうち、
受信モジュール１０１は、基地局が送信したＮ個のＣＳＩ測定プロセスと復調パイロット周波数の対応関係を受信するように設置され、及び
処理モジュール１０２は、前記対応関係に基づいて、現在に下りリンクサービスを受信するサブフレーム上においてどのＣＳＩ測定プロセスに対応するマクロスケール情報及び／又は干渉情報を用いてパイロット周波数復調及びデータ検出を行うかを確定し、そのうち、前記マクロスケール情報は、遅延拡張、各パス遅延、ドップラー周波数偏移、ドップラー拡張及び平均受信電力の情報のうちの１種又は複数種を含むように設置される。
【０２６９】
そのうち、前記ＣＳＩ測定プロセスは一つのみのＣＳＩプロセスを含み、又は一つのＣＳＩプロセスと一つのサブフレームセットの組合せを含む。一つのＣＳＩプロセスにサブフレームセット情報を設定すると、前記ＣＳＩプロセスは２つのＣＳＩ測定プロセスに分けられ、第１個のＣＳＩ測定プロセスは前記ＣＳＩプロセスと前記サブフレームセット情報のうちの第１個のサブフレームセットの組合せに対応し、第２個のＣＳＩ測定プロセスは前記ＣＳＩプロセスと前記サブフレームセット情報のうちの第２個のサブフレームセットの組合せに対応する。一つのＣＳＩプロセスがサブフレームセット情報を設定していないと、一つのＣＳＩ測定プロセスは一つのＣＳＩプロセスに対応する。
【０２７０】
上記端末は、基地局とインタラクションを行うことにより、異なるＣＳＩ測定プロセスのマクロスケール情報を利用してパイロット周波数復調及びデータ検出を行い、システム検出の正確率を向上させることができる。
【０２７１】
本発明の実施例はアンテナポート情報の設定方法を更に提供しており、該方法は基地局側から記述され、該方法は以下のステップを含む。
【０２７２】
ステップ１１：基地局は端末にｅＰＤＣＣＨリソースを検出する時別の一つ又は複数のＤＭＲＳアンテナポートが別の一つ又は複数のユーザのｅＰＤＣＣＨ及び／又はＰＤＳＣＨ伝送に用いられるかどうかの仮定を設定する。
【０２７３】
ステップ１２：基地局は端末専用ハイレイヤシグナリング及び／又は物理層シグナリングにより端末に前記仮定を送信する。
【０２７４】
本発明の実施例はアンテナポート情報の取得方法を更に提供しており、該方法は端末側から記述され、該方法は以下のステップを含む。
【０２７５】
ステップ２１：端末は基地局が送信した端末専用ハイレイヤシグナリング及び／又は物理層シグナリングを受信する。
【０２７６】
ステップ２２：端末は前記端末専用ハイレイヤシグナリング及び／又は物理層シグナリングに基づいて、ｅＰＤＣＣＨリソースを検出する時別の一つ又は複数のＤＭＲＳアンテナポートが別の一つ又は複数のユーザのｅＰＤＣＣＨ及び／又はＰＤＳＣＨ伝送に用いられるかどうかの仮定を取得する。
【０２７７】
そのうち、上記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含む。
【０２７８】
以下、基地局と端末のインタラクションの角度から、本発明の実施例の技術的解決手段を詳細に記述する。
【０２７９】
実施例十七
基地局は端末専用ハイレイヤシグナリング及び／又は物理層シグナリングにより一つのｅＰＤＣＣＨ端末はｅＰＤＣＣＨリソースを検出する時別の一つ又は複数のＤＭＲＳアンテナポートが別の一つ又は複数のユーザのｅＰＤＣＣＨ及び／又はＰＤＳＣＨ伝送に用いられるかどうかの仮定を通知する。
【０２８０】
端末は端末専用ハイレイヤシグナリング及び／又は物理層シグナリングを受信することにより、一つのｅＰＤＣＣＨ端末はｅＰＤＣＣＨリソースを検出する時別の一つ又は複数のＤＭＲＳアンテナポートが別の一つ又は複数のユーザのｅＰＤＣＣＨ及び／又はＰＤＳＣＨ伝送に用いられるかどうかの仮定を取得する。
【０２８１】
そのうち、前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含む。
【０２８２】
実施例十七のサブ実施例１
基地局はＫ個のｅＰＤＣＣＨ検出セットを設定することにより、端末はＫ個のｅＰＤＣＣＨ検出セット中において別の一つ又は複数のＤＭＲＳアンテナポートが別のユーザのｅＰＤＣＣＨ及び／又はＰＤＳＣＨ伝送に用いられるかどうかの仮定を単独で設定する。そのうち、Ｋ個のｅＰＤＣＣＨ検出セットの仮定シグナリングは統一に設定され又は単独で設定されてもよく、Ｋは正整数である。
【０２８３】
端末は端末専用ハイレイヤシグナリングを受信することにより、設定されたＫ個のｅＰＤＣＣＨ検出セットを取得し、且つ端末がｅＰＤＣＣＨリソースを検出する時Ｋ個のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を単独で設定するためのハイレイヤシグナリングを受信する。そのうちＫ個のｅＰＤＣＣＨ検出セットの仮定シグナリングは統一に受信され又は単独で検出して受信されてもよい。
【０２８４】
実施例十七のサブ実施例２
基地局は、Ｋ個のｅＰＤＣＣＨ検出セットを設定することにより、端末はＫ個のｅＰＤＣＣＨ検出セット中における一部又は全部のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定し、そのうち、Ｋは正整数である。
【０２８５】
端末は端末専用ハイレイヤシグナリングを受信することにより、設定されたＫ個のｅＰＤＣＣＨ検出セットを取得し、且つ端末がｅＰＤＣＣＨリソースを検出する時Ｋ個のｅＰＤＣＣＨ検出セットにおける一部又は全部のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定するためのハイレイヤシグナリングを取得する。
【０２８６】
実施例十七のサブ実施例３
基地局は、Ｘ個のサブフレームセットを設定することにより、端末がＸ個のサブフレームセットにおける一部又は全部のセット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定する。
【０２８７】
端末は端末専用ハイレイヤシグナリングを受信することにより、設定されたＸ（Ｘは正整数である）個のサブフレームセットを取得し、端末がｅＰＤＣＣＨリソースを検出する時Ｘ（Ｘ＞０）個のサブフレームセットにおける一部又は全部のサブフレームセット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定するためのハイレイヤシグナリングを取得する。
【０２８８】
対応して、本発明の実施例は基地局を更に提供しており、該基地局は、
端末にｅＰＤＣＣＨリソースを検出する時別の一つ又は複数のＤＭＲＳアンテナポートが別の一つ又は複数のユーザのｅＰＤＣＣＨ及び／又はＰＤＳＣＨ伝送に用いられるかどうかの仮定を設定するように設置される設定モジュール、及び
端末専用ハイレイヤシグナリング及び／又は物理層シグナリングにより端末に前記仮定を送信するように設置される送信モジュールを含む。
【０２８９】
そのうち、前記設定モジュールは、Ｋ個のｅＰＤＣＣＨ検出セットを設定することにより、端末が前記Ｋ個のｅＰＤＣＣＨ検出セット中において別の一つ又は複数のＤＭＲＳアンテナポート別のユーザのｅＰＤＣＣＨ及び／又はＰＤＳＣＨ伝送に用いられるかどうかの仮定を単独で設定し、そのうちＫは正整数であるように設置される。前記Ｋ個のｅＰＤＣＣＨ検出セットは前記設定モジュールにより統一に設定され又は単独で設定される。
【０２９０】
類似して、前記設定モジュールは、Ｋ個のｅＰＤＣＣＨ検出セットを設定することにより、端末はＫ個のｅＰＤＣＣＨ検出セット中における一部又は全部のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定し、そのうちＫは正整数であり、又は、Ｘ個のサブフレームセットを設定することにより端末が前記Ｘ個のサブフレームセットにおける一部又は全部のサブフレームセット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定し、そのうちＸは正整数であるように設置される。
【０２９１】
前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含んでもよい。
【０２９２】
さらに、本発明の実施例は端末を更に提供しており、該端末は、
基地局が送信した端末専用ハイレイヤシグナリング及び／又は物理層シグナリングを受信するように設置される受信モジュール、及び
前記端末専用ハイレイヤシグナリング及び／又は物理層シグナリングに基づいて、ｅＰＤＣＣＨリソースを検出する時別の一つ又は複数のＤＭＲＳアンテナポートが別の一つ又は複数のユーザのｅＰＤＣＣＨ及び／又はＰＤＳＣＨ伝送に用いられるかどうかの仮定を取得するように設置される取得モジュールを含む。
【０２９３】
そのうち、前記取得モジュールは、前記端末ハイレイヤシグナリングに基づいて、設定されたＫ個のｅＰＤＣＣＨ検出セットを取得し、且つ端末がｅＰＤＣＣＨリソースを検出する時Ｋ個のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を単独で設定するためのハイレイヤシグナリングを受信し、そのうちＫは正整数であるように設置される。前記Ｋ個のｅＰＤＣＣＨ検出セットは前記取得モジュールにより統一に取得され又は単独で取得される。
【０２９４】
類似して、前記取得モジュールは、前記端末専用ハイレイヤシグナリングに基づいて、設定されたＫ個のｅＰＤＣＣＨ検出セットを取得し、且つ端末がｅＰＤＣＣＨリソースを検出する時Ｋ個のｅＰＤＣＣＨ検出セットにおける一部又は全部のｅＰＤＣＣＨ検出セット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定するためのハイレイヤシグナリングを取得し、そのうちＫは正整数であり、又は、前記端末専用ハイレイヤシグナリングに基づいて、設定されたＸ個のサブフレームセットを取得し、且つ端末がｅＰＤＣＣＨリソースを検出する時前記Ｘ個のサブフレームセットにおける一部又は全部のサブフレームセット中において別の一つ又は複数のＤＭＲＳアンテナポートが別の一つ又は複数のユーザのｅＰＤＣＣＨ及び／又はＰＤＳＣＨ伝送に用いられるかどうかの仮定を設定するためのハイレイヤシグナリングを取得し、そのうちＸは正整数であるように設置される。
【０２９５】
前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含んでもよい。
【０２９６】
本発明の実施例はアンテナポート情報の取得方法を更に提供しており、該方法は、
端末は、ｅＰＤＣＣＨ伝送モードに基づいて、ｅＰＤＣＣＨリソースを検出する時別の一つ又は複数のＤＭＲＳアンテナポートが別の一つ又は複数の端末のｅＰＤＣＣＨ又はＰＤＳＣＨ伝送に用いられるかどうかの仮定を必要とするかどうかを確定する。
【０２９７】
そのうち、前記端末は、ｅＰＤＣＣＨ伝送モードに基づいて、ｅＰＤＣＣＨリソースを検出する時別の一つ又は複数のＤＭＲＳアンテナポートが別の一つ又は複数の端末のｅＰＤＣＣＨ又はＰＤＳＣＨ伝送に用いられるかどうかの仮定を必要とするかどうかを確定するステップは、
前記端末設定が集中式ｅＰＤＣＣＨである時、前記端末がｅＰＤＣＣＨリソースを検出する時始終的に別の一つ又は複数のＤＭＲＳアンテナポートが別の一つ又は複数の端末のｅＰＤＣＣＨ又はＰＤＳＣＨ伝送に用いられないと仮定し、又は、
前記端末設定が分散型ｅＰＤＣＣＨである時、前記端末がｅＰＤＣＣＨリソースを検出する時始終的に別の一つ又は複数のＤＭＲＳアンテナポートが別の一つ又は複数の端末のｅＰＤＣＣＨ又はＰＤＳＣＨ伝送に用いられると仮定することを含む。
【０２９８】
そのうち、前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含む。
【０２９９】
対応して、本発明の実施例は端末を更に提供しており、該端末は、
ｅＰＤＣＣＨ伝送モードに基づいて、ｅＰＤＣＣＨリソースを検出する時別の一つ又は複数のＤＭＲＳアンテナポートが別の一つ又は複数の端末のｅＰＤＣＣＨ又はＰＤＳＣＨ伝送に用いられるかどう仮定を必要とするかどうかを確定するように設置される確定モジュールを含む。
【０３００】
そのうち、前記確定モジュールは、
前記端末設定が集中式ｅＰＤＣＣＨである時、ｅＰＤＣＣＨリソースを検出する時始終的に別の一つ又は複数のＤＭＲＳアンテナポートが別の一つ又は複数の端末のｅＰＤＣＣＨ又はＰＤＳＣＨ伝送に用いられないと仮定し、又は、
前記端末設定が分散型ｅＰＤＣＣＨである時、ｅＰＤＣＣＨリソースを検出する時始終的に別の一つ又は複数のＤＭＲＳアンテナポートが別の一つ又は複数の端末のｅＰＤＣＣＨ又はＰＤＳＣＨ伝送に用いられると仮定するように設置される。
【０３０１】
そのうち、前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含む。
【０３０２】
さらに、本発明の実施例はアンテナポート情報の取得方法を更に提供しており、該方法は、
端末がｅＰＤＣＣＨリソースを検出する時、始終的に別の一つ又は複数のＤＭＲＳアンテナポートが別の一つ又は複数の端末のｅＰＤＣＣＨ又はＰＤＳＣＨ伝送に用いられないと仮定することを含む。
【０３０３】
実施例十八
端末がｅＰＤＣＣＨリソースを検出する時、始終的に別の一つ又は複数のＤＭＲＳアンテナポートが別の一つ又は複数のユーザのｅＰＤＣＣＨ及び／又はＰＤＳＣＨ伝送に用いられないと仮定する。
【０３０４】
そのうち、前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含む。
【０３０５】
実施例十九
端末がｅＰＤＣＣＨリソースを検出する時、始終的に指定された端末のｅＰＤＣＣＨ伝送に用いられるＤＭＲＳアンテナポート以外のすべての他のＤＭＲＳアンテナポートが別の一つ又は複数のユーザのｅＰＤＣＣＨ及び／又はＰＤＳＣＨ伝送に用いられないと仮定する。
【０３０６】
そのうち、前記指定された端末のｅＰＤＣＣＨ伝送に用いられるＤＭＲＳアンテナポートは、ポート１０７、１０８、１０９及び１１０を含む。
【０３０７】
対応して、本発明の実施例は端末を更に提供しており、該端末は、ｅＰＤＣＣＨリソースを検出する時始終的に別の一つ又は複数のＤＭＲＳアンテナポートが別の一つ又は複数の端末のｅＰＤＣＣＨ又はＰＤＳＣＨ伝送に用いられないと仮定するように設置される処理モジュールを含む。
【０３０８】
そのうち、前記別の一つ又は複数のＤＭＲＳアンテナポートは指定された端末のｅＰＤＣＣＨ伝送に用いられるＤＭＲＳアンテナポート以外の一つ又は複数のＤＭＲＳアンテナポートを指し、前記指定された端末のｅＰＤＣＣＨ伝送に用いられるＤＭＲＳアンテナポートは、ポート１０７、１０８、１０９及び１１０を含む。
【０３０９】
ただし、本発明の上記実施例中において、別の一つ又は複数のＤＭＲＳポートが他のユーザのｅＰＤＣＣＨ又はＰＤＳＣＨの伝送に用いられるかどうかを仮定する主な目的は、端末がｅＰＤＣＣＨを検出する時、端末のＤＭＲＳアンテナポートに基づいて他のポートを検出して他のポートの端末のｅＰＤＣＣＨへの干渉を取得することを配慮する必要があるかどうかである。別の一つ又は複数のＤＭＲＳポートが他のユーザのｅＰＤＣＣＨ又はＰＤＳＣＨの伝送に用いられないと仮定すると、端末は他のポートを検出して干渉情報を取得することができず、別の一つ又は複数のＤＭＲＳポートが他のユーザのｅＰＤＣＣＨ又はＰＤＳＣＨの伝送に用いられると、端末は他のポートを選択的に検出して干渉情報を取得することができる。
【０３１０】
上記実施例中において、端末が他のポートの干渉情報を間違って検出してもたらすｅＰＤＣＣＨ検出ミスを避ける。
【０３１１】
一般の当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが一つ又は複数のＩＣにより実現されてもよい。それに対応して、上記実施例における各モジュール／ユニットはハードウェアの形式で実現されてもよく、ソフトウェア機能モジュールの形式で実現されてもよい。本発明はあらゆる特定形式のハードウェアとソフトウェアの組合せに限らない。
【０３１２】
上記実施例は本発明の実施例の技術的解決手段を説明するためのものに過ぎず、制限するものではなく、好ましい実施例のみを参照しながら本発明を詳細に説明した。一般の当業者は、本発明の趣旨とその実質を逸脱しない場合に、本発明の実施例の技術的解決手段に対して改定又は同等交換を行うことができ、いずれも本発明の請求の範囲に含まれると理解することができる。
【産業上の利用可能性】
【０３１３】
本発明の実施例中において、より柔軟的なスケジューリング設定を実現し、システムのアダプティブ能力及び平均パフォーマンスを向上させることができ、システム検出の正確率を向上させ、及び端末が他のポートの干渉情報を間違って検出してもたらすｅＰＤＣＣＨ検出ミスの問題を避けることができる。
【図１】
0006349301.tif 000058
【図２】
0006349301.tif 000059
【図３ａ】
0006349301.tif 000060
【図３ｂ】
0006349301.tif 000061
【図４ａ】
0006349301.tif 000062
【図４ｂ】
0006349301.tif 000063
【図５】
0006349301.tif 000064
【図６】
0006349301.tif 000065
【図７】
0006349301.tif 000066
【図８】
0006349301.tif 000067
【図９】
0006349301.tif 000068
【図１０】
0006349301.tif 000069